(57)【特許請求の範囲】
【請求項１】
映像を、動画像または静止画像の少なくとも何れかとし、時間経過につれて推移する、音声付き前記映像、または前記映像、または音声の少なくとも何れかをビデオデータとする、前記ビデオデータの検索方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
（１）  前記随伴情報を読出して呈示する過程と、
（２）  呈示された前記随伴情報の何れかが指定されると当該指定随伴情報に基づき、前記各対応情報を参照することにより前記ビデオデータベース上の該当する前記ビデオデータを特定する過程と、
（３）  前記随伴情報が複数個存在する場合に、或る随伴情報が続く次ぎの随伴情報に至るまでの時間の差を演算して、
１）  記録するか、
２）  呈示するか、
の少なくとも何れかを実行すること、
を特徴とするビデオデータ検索方法。
【請求項２】
映像を、動画像または静止画像の少なくとも何れかとし、時間経過につれて推移する、音声付き前記映像、または前記映像、または音声の少なくとも何れかをビデオデータとする、前記ビデオデータの検索方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
（１）  与件の検索条件にしたがい前記随伴情報を検索して該当する随伴情報を確定させる過程と、
（２）  確定された前記随伴情報に基づき前記対応情報を参照することにより前記ビデオデータベース上の該当する前記ビデオデータを特定する過程と、
（３）  随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とするビデオデータ検索方法。
【請求項３】
前記ビデオデータベースの前記対応情報は、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えて構成されることを特徴とする前記請求項１または２に記載のビデオデータ検索方法。
【請求項４】
前記ビデオデータベースの前記対応情報は、
時間情報を任意の共通の時間軸に基づく共通時間情報として、
前記ビデオデータと前記共通時間情報とを直接または間接に対応させた第１対応情報と、
前記随伴情報と前記共通時間情報とを対応させた第２対応情報と、
を備えて構成されることを特徴とする前記請求項１または２に記載のビデオデータ検索方法。
【請求項５】
前記随伴情報を、時間経過につれて数値が増加する、数値表現による順位適応型情報としたことを特徴とする請求項１乃至４の何れかに記載のビデオデータ検索方法。
【請求項６】
前記随伴情報を、文字列にもとづく、文字表現による意味適応型情報としたことを特徴とする請求項１乃至４の何れかに記載のビデオデータ検索方法。
【請求項７】
前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とすることを特徴とする請求項１乃至４の何れかに記載のビデオデータ検索方法。
【請求項８】
映像を、動画像または静止画像の少なくとも何れかとし、時間経過につれて推移する、音声付き前記映像、または前記映像、または音声の少なくとも何れかをビデオデータとする、前記ビデオデータの検索システムであって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベース部を備え、
且つ、前記ビデオデータベース部から前記随伴情報を読出して呈示する随伴情報読出手段と、
呈示された前記随伴情報の何れかが指定されると当該指定随伴情報に基づき、前記対応情報を参照することにより前記ビデオデータベース部上の該当する前記ビデオデータを特定する随伴情報処理手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とするビデオデータ検索システム。
【請求項９】
映像を、動画像または静止画像の少なくとも何れかとし、時間経過につれて推移する、音声付き前記映像、または前記映像、または音声の少なくとも何れかをビデオデータとする、前記ビデオデータの検索システムであって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベース部を備え、
且つ、与件の検索条件にしたがい前記随伴情報を検索して該当する随伴情報を確定させる随伴情報検索手段と、
確定された前記随伴情報に基づき前記対応情報を参照することにより前記ビデオデータベース部を検索し、該当する前記ビデオデータを特定するビデオデータ検索手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とするビデオデータ検索システム。
【請求項１０】
前記ビデオデータベース部の前記対応情報は、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えて構成されることを特徴とする請求項８または９に記載のビデオデータ検索システム。
【請求項１１】
前記ビデオデータベース部の前記対応情報は、
時間情報を任意の共通の時間軸に基づく共通時間情報として、
前記ビデオデータと前記共通時間情報とを直接または間接に対応させた第１対応情報と、
前記随伴情報と前記共通時間情報とを対応させた第２対応情報と、
を備えて構成されることを特徴とする請求項８または９に記載のビデオデータ検索システム。
【請求項１２】
前記随伴情報を、時間経過につれて数値が増加する、数値表現による順位適応型情報とする構成としたことを特徴とする請求項８乃至１１の何れかに記載のビデオデータ検索システム。
【請求項１３】
前記随伴情報を、文字列にもとづく、文字表現による意味適応型情報とする構成としたことを特徴とする請求項８乃至１１の何れかに記載のビデオデータ検索システム。
【請求項１４】
前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とする、
構成としたことを特徴とする請求項８乃至１１の何れかに記載のビデオデータ検索システム。
【請求項１５】
映像を、動画像または静止画像の少なくとも何れかとし、時間経過につれて推移する、音声付き前記映像、または前記映像、または音声の少なくとも何れかをビデオデータとする、前記ビデオデータの編集方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
前記ビデオデータベースに記録されている前記随伴情報のうちの任意の随伴情報が指定されると、指定された前記随伴情報および前記対応情報に基づき該当する前記ビデオデータを前記ビデオデータベースから取出して呈示し、
ついで呈示されている前記ビデオデータにつき、切りだし点が指定されると、
１）前記切りだし点が指定された時点で前記ビデオデータを切り出してビデオクリップを形成させるか、
２）前記切りだし点をクリップ情報として前記ビデオデータベースまたは他のデータ記録媒体に記録するか、
３）前記切りだし点をクリップ情報として外部に供給するか、の少なくとも何れかを実行し、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とするビデオデータ編集方法。
【請求項１６】
映像を、動画像または静止画像の少なくとも何れかとし、時間経過につれて推移する、音声付き前記映像、または前記映像、または音声の少なくとも何れかをビデオデータとする、前記ビデオデータの編集方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
前記ビデオデータベースに記録されている前記随伴情報につき、与件の検索条件に基づく前段階の選抜を実行して対象とする随伴情報を決定し、
前記決定された随伴情報および前記対応情報に基づき該当する前記ビデオデータを前記ビデオデータベースから取出して呈示し、
ついで呈示されている前記ビデオデータにつき、切りだし点が指定されると、
１）前記切りだし点が指定された時点で前記ビデオデータを切り出してビデオクリップを形成させるか、
２）前記切りだし点をクリップ情報として前記ビデオデータベースまたは他のデータ記録媒体に記録するか、
３）前記切りだし点をクリップ情報として外部に供給するか、
の少なくとも何れかを実行し、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とするビデオデータ編集方法。
【請求項１７】
前記ビデオデータベースの前記対応情報は、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えて構成されることを特徴とする請求項１５または１６に記載のビデオデータ編集方法。
【請求項１８】
前記ビデオデータベースの前記対応情報は、
時間情報を任意の共通の時間軸に基づく共通時間情報として、
前記ビデオデータと前記共通時間情報とを直接または間接に対応させた第１対応情報と、
前記随伴情報と前記共通時間情報とを対応させた第２対応情報と、
を備えて構成されることを特徴とする請求項１５または１６に記載のビデオデータ編集方法。
【請求項１９】
前記随伴情報を、時間経過につれて数値が増加する、数値表現による順位適応型情報としたことを特徴とする請求項１５乃至１８の何れかに記載のビデオデータ編集方法。
【請求項２０】
前記随伴情報を、文字列にもとづく、文字表現による意味適応型情報としたことを特徴とする請求項１５乃至１８の何れかに記載のビデオデータ編集方法。
【請求項２１】
前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とすることを特徴とする請求項１５乃至１８の何れかに記載のビデオデータ編集方法。
【請求項２２】
映像を、動画像または静止画像の少なくとも何れかとし、時間経過につれて推移する、音声付き前記映像、または前記映像、または音声の少なくとも何れかをビデオデータとする、前記ビデオデータの編集システムであって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベース部を備え、
且つ、前記ビデオデータベース部に記録されている前記随伴情報のうちの任意の随伴情報が指定されると、指定された前記随伴情報および前記対応情報に基づき該当する前記ビデオデータを前記ビデオデータベース部から取出して呈示する前段階処理手段と、
ついで呈示されている前記ビデオデータにつき、切りだし点が指定されると、
１）前記切りだし点が指定された時点で前記ビデオデータを切り出してビデオクリップを形成させるか、
２）前記切りだし点をクリップ情報として前記ビデオデータベース部または他のデータ記録媒体に記録するか、
３）前記切りだし点をクリップ情報として外部に供給するか、
の少なくとも何れかを実行する編集手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とするビデオデータ編集システム。
【請求項２３】
映像を、動画像または静止画像の少なくとも何れかとし、時間経過につれて推移する、音声付き前記映像、または前記映像、または音声の少なくとも何れかをビデオデータとする、前記ビデオデータの編集システムであって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベース部を備え、
且つ、前記ビデオデータベース部に記録されている前記随伴情報につき、与件の検索条件に基づく前段階の選抜を実行して対象とする随伴情報を決定し、ついで前記決定された随伴情報および前記対応情報に基づき該当する前記ビデオデータを前記ビデオデータベース部から取出して呈示する前段階処理手段と、
ついで呈示されている前記ビデオデータにつき、切りだし点が指定されると、
前記切りだし点が指定された時点で前記ビデオデータを切り出してビデオクリップを形成させるか、
前記切りだし点をクリップ情報として前記ビデオデータベース部または他のデータ記録媒体に記録するか、
前記切りだし点をクリップ情報として外部に供給するか、
の少なくとも何れかを実行する編集手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とするビデオデータ編集システム。
【請求項２４】
前記ビデオデータベース部の前記対応情報は、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えて構成されることを特徴とする請求項２２または２３に記載のビデオデータ編集システム。
【請求項２５】
前記ビデオデータベース部の前記対応情報は、
時間情報を任意の共通の時間軸に基づく共通時間情報として、
前記ビデオデータと前記共通時間情報とを直接または間接に対応させた第１対応情報と、
前記随伴情報と前記共通時間情報とを対応させた第２対応情報と、
を備えて構成されることを特徴とする請求項２２または２３に記載のビデオデータ編集システム。
【請求項２６】
前記随伴情報を、時間経過につれて数値が増加する、数値表現による順位適応型情報とする構成としたことを特徴とする請求項２２乃至２５の何れかに記載のビデオデータ編集システム。
【請求項２７】
前記随伴情報を、文字列にもとづく、文字表現による意味適応型情報とする構成としたことを特徴とする請求項２２乃至２５の何れかに記載のビデオデータ編集システム。
【請求項２８】
前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とする、構成としたことを特徴とする請求項２２乃至２５の何れかに記載のビデオデータ編集システム。
【発明の詳細な説明】
【０００１】
【発明の属する技術分野】
この発明は、ビデオデータ検索方法およびビデオデータ検索システムおよびビデオデータ編集方法およびビデオデータ編集システムに関するものである。とりわけ収録されている、時間的に推移するコンテンツであるビデオデータおよび、このコンテンツに随伴して収録されたメタデータ等の関連データの検索や編集に係る、ビデオデータ検索方法およびビデオデータ検索システムおよびビデオデータ編集方法およびビデオデータ編集システムに関する。
【０００２】
【従来の技術】
事象の状態変化に伴い時々刻々と発生・変化する情報には、時系列的に連続して取込まれ収録される情報がある。
一例として、放送番組の制作においては取材対象である素材の時系列的に変遷する映像・音声情報がソース・マテリアルとして収録され、ついで収録されたソース・マテリアルを編集することにより、時系列的な構成を有する放映素材が制作される。放映素材はコンテンツとも称せられ、１本の放映素材はそれぞれが放映単位として形成された複数のイベントが連結されて成るビデオストリームとして制作される。ここでイベントは例えば１つのコマーシャルといったような、１つの連続した放映単位である。
例えば取材対象が野球試合などスポーツ試合の場合、中継や実況中継により撮影・集音された映像・音声がソース・マテリアルとして記録装置へ収録される他に、実況中継による放送番組として直ちにリアルタイムで放送される。或いはコンサートや舞台中継においても同様に、時間経過にともない推移する映像・音声がソース・マテリアルとして収録され、また実況中継としてリアルタイム放送される。テレビ番組の中継放送については撮影・集音された映像と音声のうち、主として音声付映像が放送され、テレビ番組の中継記録については映像と音声が記録される。一方ラジオ番組では音声が放送される。
【０００３】
上記のように収録されたソース・マテリアルに、次いで編集加工が施されることにより放映素材（コンテンツ）が制作されるが、通常ソース・マテリアルは数時間に亘る実況映像と音声であり、連続した収録がなされるから、よってその内容に応じた区切りが存在しない。一方、編集加工はソース・マテリアルの内容に着目した特定部分の抽出作業であるから、ソース・マテリアルを構成する各部分の内容の確認が不可欠となるが、前述のように区切りが存在しない以上、このためソース・マテリアル全体を再生しつつ内容確認するという非効率的な作業を余儀なくされる。
【０００４】
そのため従来は、中継や実況中継中に発生する状況の変化を収録者が捉えて、その都度手書きのメモに記することで残し、後にこのメモに基づいてソース・マテリアルの該当部分を手動で検索・抽出のうえ編集する作業が実行されてきた。  例えば野球試合の中継中のメモとして、「巨人ヤクルト開幕戦。８回裏１死でヤクルト攻撃中、打者小早川が投手斎藤から３打席連続のホームラン。」の記載があり、編集者がこの場面をハイライト番組に取込むことを検討する場合、実況映像が収録されているソース・マテリアル上を手動でサーチして８回裏の部分を出し、ついで手動で１死の部分に進め、打者小早川の着目する本塁打の場面を再生させるようにする。
或いは、バレエの上演中継中に、「コッペリア上演中、小牧バレエ団の小牧氏演ずるコッペリウスがセット２階から転落。但し無傷。小牧氏衣装のまま舞台袖に出て観客に不手際謝罪。チャルダッシュから再開すると言明。そのとおり上演再開。」との記載があり、編集者がこの場面をカットする必要ありと判断すると、最初のチャルダッシュの部分をサーチして削除するようにしてきた。
このように従来は手書きメモによって参考情報の準備がなされ、また編集現場で使用されていた。
【０００５】
【発明が解決しようとする課題】
しかしながら上記のような参考情報の準備については、収録映像たとえばスポーツの試合などを見ながら場面ごとのメモをとる必要があり、煩雑な作業を強いられる上に低効率であり、さらに編集作業の開始までの間にメモの紛失など不都合が発生するおそれがあった。
また編集作業では長時間の映像素材からメモにしたがい、頭出し位置や編集点を探す操作が必要とされ、煩雑で長時間の作業を要して低効率であった。さらに、過去の映像素材を検索し、また閲覧するためにスクリプトなどのメモを添付しなければならず、蓄積素材の管理が煩雑になる上、その効率的な利用において問題があった。
【０００６】
本発明は前記のような課題を解決するためなされたもので、ビデオデータ素材の頭出し、編集点決めの効率化による編集作業の生産性向上および、ビデオデータ素材の検索性、閲覧性の向上を図り、さらに蓄積素材および参考情報をはじめ、編集に係る情報の合理的な管理を可能にする、ビデオデータ検索方法およびビデオデータ検索システムおよびビデオデータ編集方法およびビデオデータ編集システムを提供することを目的とする。
【０００７】
【課題を解決するための手段】
前記課題を解決するため請求項１に係るビデオデータ検索方法は、映像を、動画像または静止画像の少なくとも何れかとし、時間経過につれて推移する、音声付き前記映像、または前記映像、または音声の少なくとも何れかをビデオデータとする、前記ビデオデータの検索方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
（１）  記随伴情報を読出して呈示する過程と、
（２）れた前記随伴情報の何れかが指定されると当該指定随伴情報に基づき、前記各対応情報を参照することにより前記ビデオデータベース上の該当する前記ビデオデータを特定する過程と、
（３）記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とする。
【０００８】
請求項２に係るビデオデータ検索方法は、映像を、動画像または静止画像の少なくとも何れかとし、時間経過につれて推移する、音声付き前記映像、または前記映像、または音声の少なくとも何れかをビデオデータとする、前記ビデオデータの検索方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
（１）与件の検索条件にしたがい前記随伴情報を検索して該当する随伴情報を確定させる過程と、
（２）確定された前記随伴情報に基づき前記対応情報を参照することにより前記ビデオデータベース上の該当する前記ビデオデータを特定する過程と、
（３）随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とする。
【０００９】
請求項３に係るビデオデータ検索方法は、請求項１または２に記載のもので、前記ビデオデータベースの前記対応情報が、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えて構成されることを特徴とする。
【００１０】
請求項４に係るビデオデータ検索方法は、請求項１または２に記載のもので、前記ビデオデータベースの前記対応情報が、
時間情報を任意の共通の時間軸に基づく共通時間情報として、
前記ビデオデータと前記共通時間情報とを直接または間接に対応させた第１対応情報と、  前記随伴情報と前記共通時間情報とを対応させた第２対応情報と、
を備えて構成されることを特徴とする。
【００１１】
【００１２】
請求項５に係るビデオデータ編集方法は、請求項１乃至４の何れかに記載のもので、前記随伴情報を、時間経過につれて数値が増加する、数値表現による順位適応型情報としたことを特徴とする。
【００１３】
請求項６に係るビデオデータ編集方法は、請求項１乃至４の何れかに記載のもので、前記随伴情報を、文字列にもとづく、文字表現による意味適応型情報としたことを特徴とする。
【００１４】
請求項７に係るビデオデータ編集方法は、請求項１乃至４の何れかに記載のもので、前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とすることを特徴とする。
【００１５】
請求項８に係るビデオデータ検索システムは、映像を、動画像または静止画像の少なくとも何れかとし、時間経過につれて推移する、音声付き前記映像、または前記映像、または音声の少なくとも何れかをビデオデータとする、前記ビデオデータの検索システムであって、
前記ビデオデータと、
前記ビデオデータに併行して推移する前記ビデオデータの随伴情報と、
前記ビデオデータと前記随伴情報とを対応させる対応情報と、をデータ記録媒体に記録したビデオデータベース部を備え、
且つ、前記ビデオデータベース部から前記随伴情報を読出して呈示する随伴情報読出手段と、
呈示された前記随伴情報の何れかが指定されると当該指定随伴情報に基づき、前記対応情報を参照することにより前記ビデオデータベース部上の該当する前記ビデオデータを特定する随伴情報処理手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とする。
【００１６】
請求項９に係るビデオデータ検索システムは、映像を、動画像または静止画像の少なくとも何れかとし、時間経過につれて推移する、音声付き前記映像、または前記映像、または音声の少なくとも何れかをビデオデータとする、前記ビデオデータの検索システムであって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベース部を備え、
且つ、与件の検索条件にしたがい前記随伴情報を検索して該当する随伴情報を確定させる随伴情報検索手段と、
確定された前記随伴情報に基づき前記対応情報を参照することにより前記ビデオデータベース部を検索し、該当する前記ビデオデータを特定するビデオデータ検索手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とする。
【００１７】
請求項１０に係るビデオデータ検索システムは、請求項８または９に記載のものであって、前記ビデオデータベース部の前記対応情報が、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えて構成されることを特徴とする。
【００１８】
請求項１１に係るビデオデータ検索システムは、請求項８または９に記載のものであって、前記ビデオデータベース部の前記対応情報が、
時間情報を任意の共通の時間軸に基づく共通時間情報として、
前記ビデオデータと前記共通時間情報とを直接または間接に対応させた第１対応情報と、  前記随伴情報と前記共通時間情報とを対応させた第２対応情報と、
を備えて構成されることを特徴とする。
【００１９】
【００２０】
請求項１２に係るビデオデータ検索システムは、請求項８乃至１１の何れかに記載のものであって、前記随伴情報を、時間経過につれて数値が増加する、数値表現による順位適応型情報とする構成としたことを特徴とする。
【００２１】
請求項１３に係るビデオデータ検索システムは、請求項８乃至１１の何れかに記載のものであって、前記随伴情報を、文字列にもとづく、文字表現による意味適応型情報とする構成としたことを特徴とする。
【００２２】
請求項１４に係るビデオデータ検索システムは、請求項８乃至１１の何れかに記載のものであって、前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とする構成としたことを特徴とする。
【００２３】
上記の請求項１のビデオデータ検索方法または請求項８のビデオデータ検索システムによると、ビデオデータベースまたはビデオデータベース部に記録された随伴情報が先ず呈示され、ついでその内の何れかが指定されると、指定された当該随伴情報に基づき対応情報を参照して該当するビデオデータが特定される。ここで随伴情報はビデオデータと併行して推移して、ビデオデータと相関を有するものであるから、先ず随伴情報が指定されることにより対象になるビデオデータの前選抜による絞りこみが、しかもビデオデータ自体を開くことなく随伴情報のみで容易になされ、よって検索効率の向上が実現される。
【００２４】
上記の請求項２のビデオデータ検索方法または請求項９のビデオデータ検索システムによると、ビデオデータベースまたはビデオデータベース部に記録された随伴情報につきこれを検索する検索条件が与件として付与されると、この検索条件に基づき検索がなされて該当する随伴情報が確定され、ついで当該確定随伴情報に基づき対応情報を参照して該当するビデオデータが特定される。ここで随伴情報はビデオデータと併行して推移して、ビデオデータと相関を有するものであるから、先ず随伴情報が検索条件によって前選抜で絞りこまれることで、これにより対象になるビデオデータの絞りこみが、ビデオデータ自体を開くことなく随伴情報のみで容易になされ、よって検索効率の向上が実現される。
【００２５】
上記の請求項３のビデオデータ検索方法または請求項１０のビデオデータ検索システムによると、ビデオデータベースまたはビデオデータベース部に記録された第１対応情報乃至第３対応情報につき、或る随伴情報が与えられると第２対応情報の参照により対応している第２時間情報が決まり、ついでこの第２時間情報につき第３対応情報の参照により対応している第１時間情報が決まり、ついでこの第１時間情報につき第１対応情報の参照により対応しているビデオデータが特定される。このように、ビデオデータと随伴情報がそれぞれ異なる時間軸および異なる時間情報により記録されていても、第２対応情報、第３対応情報、第１対応情報が順に参照されることによって該当ビデオデータの特定がなされる。
【００２６】
上記の請求項４のビデオデータ検索方法または請求項１１のビデオデータ検索システムによると、ビデオデータベースまたはビデオデータベース部に記録された第１対応情報および第２対応情報につき、或る随伴情報が与えられると第２対応情報の参照により対応している共通時間情報が決まり、ついでこの共通時間情報につき第１対応情報の参照により対応しているビデオデータが特定される。このように第２対応情報、第１対応情報が順に参照されることによって該当ビデオデータの特定がなされる。
【００２７】
【００２８】
上記の請求項５のビデオデータ検索方法または請求項１２のビデオデータ検索システムによれば、随伴情報が時間経過につれて数値が増加する順位適応型情報とされることにより、順位ソート等の処理の割愛がなされて検索の効率化がなされる。
【００２９】
上記の請求項６のビデオデータ検索方法および請求項１３のビデオデータ検索システムによれば、随伴情報が文字列にもとづく意味適応型情報とされることにより、検索精度の改善がなされる。
【００３０】
上記の請求項７のビデオデータ検索方法および請求項１４のビデオデータ検索システムによれば、随伴情報が、時間経過につれて数値が増加する順位適応型情報による大分類標記と、文字表現による意味適応型情報による小分類標記との組合せで構成されることにより、先ず大分類標記の検索により大まかな検索が高速かつ効率的になされ、ついで小分類標記の検索により高精度の検索がなされ、全体として検索効率と精度の向上がなされる。
【００３１】
つぎに請求項１５に係るビデオデータ編集方法は、映像を、動画像または静止画像の少なくとも何れかとし、時間経過につれて推移する、音声付き前記映像、または前記映像、または音声の少なくとも何れかをビデオデータとする、前記ビデオデータの編集方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
前記ビデオデータベースに記録されている前記随伴情報のうちの任意の随伴情報が指定されると、指定された前記随伴情報および前記対応情報に基づき該当する前記ビデオデータを前記ビデオデータベースから取出して呈示し、
ついで呈示されている前記ビデオデータにつき、切りだし点が指定されると、
１）前記切りだし点が指定された時点で前記ビデオデータを切り出してビデオクリップを形成させるか、
２）切りだし点をクリップ情報として前記ビデオデータベースまたは他のデータ記録媒体に記録するか、
３）前記切りだし点をクリップ情報として外部に供給するか、
の少なくとも何れかを実行し、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とする。
【００３２】
請求項１６に係るビデオデータ編集方法は、映像を、動画像または静止画像の少なくとも何れかとし、時間経過につれて推移する、音声付き前記映像、または前記映像、または音声の少なくとも何れかをビデオデータとする、前記ビデオデータの編集方法であって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベースを用いて、
前記ビデオデータベースに記録されている前記随伴情報につき、与件の検索条件に基づく前段階の選抜を実行して対象とする随伴情報を決定し、
前記決定された随伴情報および前記対応情報に基づき該当する前記ビデオデータを前記ビデオデータベースから取出して呈示し、
ついで呈示されている前記ビデオデータにつき、切りだし点が指定されると、
１）前記切りだし点が指定された時点で前記ビデオデータを切り出してビデオクリップを形成させるか、
２）前記切りだし点をクリップ情報として前記ビデオデータベースまたは他のデータ記録媒体に記録するか、
３）前記切りだし点をクリップ情報として外部に供給するか、
の少なくとも何れかを実行することを特徴とする。
【００３３】
請求項１７に係るビデオデータ編集方法は、請求項１５または１６に記載のものであって前記ビデオデータベースの前記対応情報が、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えた構成とされることを特徴とする。
【００３４】
請求項１８に係るビデオデータ編集方法は、請求項１５または１６に記載のものであって、時間情報を任意の共通の時間軸に基づく共通時間情報として、前記ビデオデータベースの前記対応情報が、
前記ビデオデータと前記共通時間情報とを直接または間接に対応させた第１対応情報と、  前記随伴情報と前記共通時間情報とを対応させた第２対応情報と、
を備えて構成されることを特徴とする。
【００３５】
【００３６】
請求項１９に係るビデオデータ編集方法は、請求項１５乃至１８の何れかに記載のものであって、前記随伴情報を、時間経過につれて数値が増加する、数値表現による順位適応型情報としたことを特徴とする。
【００３７】
請求項２０に係るビデオデータ編集方法は、請求項１５乃至１８の何れかに記載のものであって、前記随伴情報を、文字列にもとづく、文字表現による意味適応型情報としたことを特徴とする。
【００３８】
請求項２１に係るビデオデータ編集方法は、請求項１５乃至１８の何れかに記載のものであって、前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とすることを特徴とする。
【００３９】
つぎに請求項２２に係るビデオデータ編集システムは、映像を、動画像または静止画像の少なくとも何れかとし、時間経過につれて推移する、音声付き前記映像、または前記映像、または音声の少なくとも何れかをビデオデータとする、前記ビデオデータの編集システムであって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベース部を備え、
且つ、前記ビデオデータベース部に記録されている前記随伴情報のうちの任意の随伴情報が指定されると、指定された前記随伴情報および前記対応情報に基づき該当する前記ビデオデータを前記ビデオデータベース部から取出して呈示する前段階処理手段と、
ついで呈示されている前記ビデオデータにつき、切りだし点が指定されると、
１）前記切りだし点が指定された時点で前記ビデオデータを切り出してビデオクリップを形成させるか、
２）前記切りだし点をクリップ情報として前記ビデオデータベース部または他のデータ記録媒体に記録するか、
３）前記切りだし点をクリップ情報として外部に供給するか、
の少なくとも何れかを実行する編集手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とする。
【００４０】
請求項２３に係るビデオデータ編集システムは、映像を、動画像または静止画像の少なくとも何れかとし、時間経過につれて推移する、音声付き前記映像、または前記映像、または音声の少なくとも何れかをビデオデータとする、前記ビデオデータの編集システムであって、
前記ビデオデータと、
前記ビデオデータに併行して推移する前記ビデオデータの随伴情報と、
前記ビデオデータと前記随伴情報とを対応させる対応情報と、
をデータ記録媒体に記録したビデオデータベース部を備え、
且つ、前記ビデオデータベース部に記録されている前記随伴情報につき、与件の検索条件に基づく前段階の選抜を実行して対象とする随伴情報を決定し、ついで前記決定された随伴情報および前記対応情報に基づき該当する前記ビデオデータを前記ビデオデータベース部から取出して呈示する前段階処理手段と、
ついで呈示されている前記ビデオデータにつき、切りだし点が指定されると、
１）前記切りだし点が指定された時点で前記ビデオデータを切り出してビデオクリップを形成させるか、
２）前記切りだし点をクリップ情報として前記ビデオデータベース部または他のデータ記録媒体に記録するか、
３）前記切りだし点をクリップ情報として外部に供給するか、
の少なくとも何れかを実行する編集手段と、
前記随伴情報が複数個存在する場合に、或る随伴情報が続く次ぎの随伴情報に至るまでの時間の差を演算して、
１）記録するか、
２）呈示するか、
の少なくとも何れかを実行すること、
を特徴とする。
【００４１】
請求項２４に係るビデオデータ編集システムは、請求項２２または２３に記載のものであって、前記ビデオデータベース部の前記対応情報が、
前記ビデオデータと任意の第１の時間軸に基づく第１時間情報とを直接または間接に対応させた第１対応情報と、
前記随伴情報と任意の第２の時間軸に基づく第２時間情報とを対応させた第２対応情報と、
前記第１の時間軸と前記第２の時間軸との対応か、または前記第１時間情報と前記第２時間情報との対応を示す第３対応情報と、
を備えた構成とされることを特徴とする。
【００４２】
請求項２５に係るビデオデータ編集システムは、請求項２２または２３に記載のものであって、前記ビデオデータベース部の前記対応情報が、時間情報を任意の共通の時間軸に基づく共通時間情報として、
前記ビデオデータと前記共通時間情報とを直接または間接に対応させた第１対応情報と、
前記随伴情報と前記共通時間情報とを対応させた第２対応情報と、
を備えた構成とされることを特徴とする。
【００４３】
【００４４】
請求項２６に係るビデオデータ編集システムは、請求項２２乃至２５の何れかに記載のものであって、前記随伴情報を、時間経過につれて数値が増加する数値表現による順位適応型情報とする構成としたことを特徴とする。
【００４５】
請求項２７に係るビデオデータ編集システムは、請求項２２乃至２５の何れかに記載のものであって、前記随伴情報を、文字列にもとづく文字表現による意味適応型情報とする構成としたことを特徴とする。
【００４６】
請求項２８に係るビデオデータ編集システムは、請求項２２乃至２５の何れかに記載のものであって、前記随伴情報を、大分類標記と小分類標記の組合せで構成し、
前記大分類の標記は、時間経過につれて数値が増加する、数値表現による順位適応型情報とし、
前記小分類の標記は、文字列にもとづく、文字表現による意味適応型情報とする構成としたことを特徴とする。
【００４７】
上記の請求項１５のビデオデータ編集方法または請求項２２のビデオデータ編集システムによると、ビデオデータベースまたはビデオデータベース部に記録された随伴情報のうちの任意の随伴情報が指定されると、指定された当該随伴情報に基づき対応情報を参照して該当するビデオデータが取出され呈示される。このように先ず随伴情報が指定されることで随伴情報の前選抜が為されるが、ここで随伴情報はビデオデータと併行して推移してビデオデータと相関を有するものであるから、随伴情報を対象にした前選抜によってビデオデータの絞りこみが、ビデオデータ自体を開くことなく随伴情報のみで容易になされる。
ついで呈示されているビデオデータにつき、切りだし点が指定されると、切り出しによるビデオクリップ形成、切りだし点をクリップ情報として記録または外部へ供給、などが為される。このようにして以降の編集加工の対象であるビデオクリップが容易に生成される。或いはクリップ情報単独で記録保存され、または外部供給されることにより、後の任意の時期での編集加工時に再度、ビデオデータの切りだし点の指定をすることなく、保存されているクリップ情報を用いてのビデオクリップの生成が容易かつ迅速に為される。上記の結果、総じて編集作業の効率化が為される。
【００４８】
上記の請求項１６のビデオデータ編集方法または請求項２３のビデオデータ編集システムによると、ビデオデータベースまたはビデオデータベース部に記録された随伴情報につき、与件の検索条件に基づく前段階の選抜がなされることで対象とする随伴情報が決定され、ついで決定された当該随伴情報に基づき対応情報を参照して該当するビデオデータが取出され呈示される。ここで随伴情報はビデオデータと併行して推移して、ビデオデータと相関を有するものであるから、このように先ず与件の検索条件に適う随伴情報の検索により、随伴情報の前選抜による絞りこみがなされることで、対象になるビデオデータの絞りこみがビデオデータ自体を開くことなく随伴情報のみで容易になされる。ついで呈示されているビデオデータにつき、切りだし点が指定されると、切り出しによるビデオクリップ形成、切りだし点をクリップ情報として記録または外部へ供給、などが為される。このようにして以降の編集加工の対象であるビデオクリップが容易に生成される。或いはクリップ情報単独で記録保存され、または外部供給されることにより、後の任意の時期での編集加工時に再度、ビデオデータの切りだし点の指定をすることなく、保存されているクリップ情報を用いてのビデオクリップの生成が容易かつ迅速に為される。上記の結果、総じて編集作業の効率化が為される。
【００４９】
上記の請求項１７のビデオデータ編集方法または請求項２４のビデオデータ編集システムによると、ビデオデータベースまたはビデオデータベース部に記録された第１対応情報乃至第３対応情報につき、或る随伴情報が与えられると第２対応情報の参照により対応している第２時間情報が決まり、ついでこの第２時間情報につき第３対応情報の参照により対応している第１時間情報が決まり、ついでこの第１時間情報につき第１対応情報の参照により対応しているビデオデータが取出される。このように、ビデオデータと随伴情報がそれぞれ異なる時間軸および異なる時間情報により記録されていても、第２対応情報、第３対応情報、第１対応情報が順に参照されることによって該当ビデオデータの取出しがなされる。
【００５０】
上記の請求項１８のビデオデータ編集方法または請求項２５のビデオデータ編集システムによると、ビデオデータベースまたはビデオデータベース部に記録された第１対応情報および第２対応情報につき、或る随伴情報が与えられると第２対応情報の参照により対応している共通時間情報が決まり、ついでこの共通時間情報につき第１対応情報の参照により対応しているビデオデータが取出される。このように第２対応情報、第１対応情報が順に参照されることによって該当ビデオデータの取出しがなされる。
【００５１】
【００５２】
上記の請求項１９のビデオデータ編集方法または請求項２６のビデオデータ編集システムによれば、随伴情報が時間経過につれて数値が増加する順位適応型情報とされることにより、随伴情報の検索時の順位ソート等の処理の割愛がなされて編集の効率化がなされる。
【００５３】
上記の請求項２０のビデオデータ編集方法および請求項２７のビデオデータ編集システムによれば、随伴情報が文字列にもとづく意味適応型情報とされることにより、随伴情報の検索精度の改善がなされ、総じて編集の効率化がなされる。
【００５４】
上記の請求項２１のビデオデータ編集方法および請求項２８のビデオデータ編集システムによれば、随伴情報が、時間経過につれて数値が増加する順位適応型情報による大分類標記と、文字表現による意味適応型情報による小分類標記との組合せで構成されることにより、先ず大分類標記の検索により大まかな検索が高速かつ効率的になされ、ついで小分類標記の検索により高精度の検索がなされ、全体として随伴情報の検索効率と精度の向上がなされる。よって総じて編集の効率化がなされる。
【００５５】
以下、この発明の好適な実施形態を添付図を参照して詳細に説明する。なお、以下に述べる実施形態は、この発明の本質的な構成と作用を示すための好適な例の一部であり、したがって技術構成上好ましい種々の限定が付されている場合があるが、この発明の範囲は、以下の説明において特にこの発明を限定する旨の記載がない限り、これらの形態に限られるものではない。
【００５６】
また本発明においては、
「映像」を、「動画像または静止画像の少なくとも何れか」
と定義する。
さらに、
時間経過につれて推移する音声付き映像、または映像、または音声の少なくと
も何れかを含むデータを「ビデオデータ」、
と定義するものとする。ビデオデータの典型的な例として、スポーツ試合中継の音声付き映像がある。
さらに、ビデオデータに随伴して発生するか形成がなされ、時間経過につれて推移する情報を、
「随伴情報」と定義するものとする。随伴情報の典型的な例として、スポーツ試合において試合経過が記録されるスコア情報がある。
また「呈示」とは、画面表示、印字印刷、音声ガイドの少なくとも何れかを含むものと定義する。
【００５７】
図１は、本発明に係るビデオデータ検索システムの一実施形態の概略ブロック構成図である。以下、図１に基づき構成を説明する。
本実施形態に係るビデオデータ検索システムＶＤＲＳ１は、随伴情報読出手段０１００、随伴情報処理手段０１１０、ビデオモニタ０１３１、入力部Ｉｐｔ、通信ネットワークＮＷ、さらにビデオデータベースＶＤＢを備えるコンピュータシステムとして構成される。より詳細には、上記のうちで随伴情報読出手段０１００と随伴情報処理手段０１１０とビデオモニタ０１３１と入力部Ｉｐｔを具備し、さらにこれらの動作を制御する不図示の制御手段を備えた第１系統のコンピュータ（例えばワークステーションやパソコン等）と、大容量記録装置を擁してビデオデータベースＶＤＢを形成する第２系統のコンピュータ（例えばメインフレーム）と、これら第１及び第２系統のコンピュータ間のデータ授受を中継する通信ネットワークＮＷを備えるコンピュータシステムとして構成される。
【００５８】
或いは、通信ネットワークＮＷを用いることなく、一つのコンピュータで上記各手段等及びビデオデータベースＶＤＢの両方を実現する構成とすることもできる。ここでは前者のコンピュータシステム構成に基づいて説明する。
【００５９】
第１系統のコンピュータは、コマンドデータやビデオデータを伝送するためのバス、演算処理実行に関わる演算処理装置ＣＰＵ（Central Processing Unit）、デイスプレイに表示されるビデオデータやＧＵＩのためのグラフイツク表示を管理する呈示コントローラ、通信ネットワークを介しての外部との通信を制御する通信インターフエイス、キーボードやマウス及びペン・タブレツト等のポインテイングデバイスからの入力データの処理に関わる入力デバイスインターフエイスや外部インターフエイスを有し、さらにオペレーテイングシステムや一部のアプリケーシヨン・ソフトウエアが格納されている読み出し専用記憶装置ＲＯＭ（Read Only Memory）または／およびハード磁気ディスク装置等のデータ記録装置と、アツプロードされたアプリケーシヨン・ソフトウエアやＣＰＵの実行過程で発生するデータを暫定格納する読み書き可能な記憶装置ＲＡＭ（Random Access Memory）などを具備するが、これらは一般的なコンピュータ構成であり、よって冗長と煩雑を避けるべく詳細説明は割愛される。
【００６０】
随伴情報読出手段０１００は随伴情報読込部０１０１と呈示部（モニタ）０１０２を備え、呈示部０１０２はディスプレイ装置や印刷装置によって構成され、後述するように呈示データｄ０１０４として随伴情報読込部０１０１から送付された随伴情報群の呈示（画面表示やプリントアウト）に適合する。
【００６１】
一方、随伴情報読込部０１０１および随伴情報処理手段０１１０はコンピュータプログラムとして準備され、これらコンピュータプログラムはＲＯＭまたは／およびハード磁気ディスク装置等に格納されてＣＰＵにより読取り実行される。  随伴情報読込部０１０１は入力部Ｉｐｔから随伴情報群の読込指示ｄ０１０１が与えられると、随伴情報群の読込コマンドｄ０１０２を通信ネットワークＮＷ経由でビデオデータベースＶＤＢへ送付し、取出された随伴情報群ｄ０１０３を通信ネットワークＮＷ経由で読込んで呈示データｄ０１０４とし、呈示部０１０２へ送付する。
随伴情報処理手段０１１０は入力部Ｉｐｔから随伴情報の指定ｄ０１０５が与えられると、指定された随伴情報ｄ０１０６として通信ネットワークＮＷ経由でビデオデータベースＶＤＢへ送付し、この随伴情報に対応する該当ビデオデータｄ０１０９を通信ネットワークＮＷ経由で受けて呈示ビデオデータｄ０１１０とし、ビデオモニタ０１３１へ送付する。
【００６２】
入力部Ｉｐｔは例えばキーボードやマウスからなり、ユーザの操作により一般的にはデータベースを構築するオブジェクトデータの入力や、データ検索を行う際の検索条件の指示や、指定あるいは設定等を行うものであるが、本実施形態では随伴情報群の読込指示ｄ０１０１を随伴情報読込部０１０１へ入力し、または随伴情報の指定入力ｄ０１０５を随伴情報処理手段０１１０へ入力する。
【００６３】
ビデオモニタ０１３１は例えばＣＲＴ装置や液晶ディスプレイ装置等からなるものであり、随伴情報処理手段０１１０から送付された呈示ビデオデータｄ０１１０を呈示（画面表示）してユーザに提供する。
また通信ネットワークＮＷには専用回線、公衆回線、インターネット網、ＣＡＴＶ網、衛星回線と公衆回線の組合せによるネットワーク等の双方向ブロードバンド・ネットワークが使用され、ポイント・ツー・ポイントによる２点間方式あるいは直結方式、またはオープンネットワークによるパケット・ネットワーク通信構成などの適用が可能である。
【００６４】
一方、ビデオデータベースＶＤＢは第２系統のコンピュータとして構成され、とりわけ大容量データの記録とハンドリングに適合するデータベース運用機能を具備した構成とされる。
ビデオデータベースＶＤＢは、コンテンツであるビデオデータを記録格納するビデオデータファイル０１２３、上記コンテンツと時系列的に併行発生した随伴情報を記録格納する随伴情報ファイル０１２１、随伴情報とビデオデータを対応付ける情報を記録格納する対応情報ファイル０１２２を有する。随伴情報ファイル０１２１からは随伴情報を纏めて取りだし可能に構成されている。
【００６５】
ビデオデータベースＶＤＢは随伴情報読込部０１０１から随伴情報群の読込コマンドｄ０１０２が送付されると、随伴情報ファイル０１２１から随伴情報を纏めて読出し、取出された随伴情報群ｄ０１０３として随伴情報読込部０１０１へ送出するよう構成されている。また随伴情報処理手段０１１０から指定された随伴情報ｄ０１０６が送付されると、指定随伴情報ｄ０１０６に基づき随伴情報ファイル０１２１、対応情報ファイル０１２２、ビデオデータファイル０１２３をこの順に参照して、指定随伴情報ｄ０１０６に該当するビデオデータを特定し、これを該当するビデオデータｄ０１０９として随伴情報処理手段０１１０へ送出するよう構成されている。
【００６６】
以下に、「随伴情報」につき説明する。
随伴情報は、時間経過につれて変化するコンテンツの任意の着目する場面の出現時などのタイミングで発生がなされ、コンテンツの内容を簡潔に示すことができる時系列的な情報である。したがって随伴情報は時間情報と密接な関係にある。随伴情報の代表的な例としては、スポーツ試合やドラマ、コンサート等のイベントにおいて形成されるイベント情報、たとえば野球試合中継というイベントで発生するスコアデータなどがある。
さらに随伴情報は該当するコンテンツの内容を、コンテンツを開くことを要せずに案内することができるガイド・データとして利用できるとともに、コンテンツの流れ中で該当するコンテンツを特定するための「栞」または「ラベル」としても利用することができる。
【００６７】
上記から明らかなように随伴情報は時間情報と密接な対応をするものであるが、随伴情報と時間情報の組合せ、または随伴情報と記録位置（すなわち番地）情報の組合せを、ここで説明の便宜上、「メタデータ」と記載することにすると、これらがデータ記録媒体に記録される形態として、
（ａ）メタデータのみ、
（ｂ）ビデオデータのみ、
（ｃ）ビデオデータおよびメタデータの何れもが可能である。
【００６８】
形態（ａ）の場合に、データ記録媒体として単独移動や運搬に適する着脱式が適用されることがある。たとえばメモリスティック（商品名）等に代表される携帯容易な記録媒体が適用されると、これに記録された随伴情報を含むメタデータを使用して検索・編集を実行する。
ただし、着脱式に限定されることはない。たとえば野球試合中継で、ビデオデータは球場から回線伝送されて局内のデータベースシステムに収録される一方で、球場に暫定設置されたパソコンの内蔵する非脱着式ＨＤＤにメタデータとして随伴情報および対応情報が記録されると、中継終了後にこのパソコンが局に戻った際に記録済みのメタデータをＬＡＮ等を経由してデータベースシステムへ転写し、または編集システムがＬＡＮ等を経由して直接アクセスするといった利用が可能になる。または中継終了後に球場に置いたパソコンから通信回線経由で局のデータベースシステムへ転写し、または編集システムがその内蔵する例えばＨＤＤにメタデータを上記パソコンから直接取り込むことも可能である。
【００６９】
形態（ｂ）および（ｃ）の場合は、ビデオデータのストリームを長時間収録する必要性から、メモリカードやリムーバブル磁気ディスク媒体のような比較的小記録容量の着脱式データ記録媒体よりも、大記録容量の着脱式磁気テープによるＶＴＲ（または複数のＶＴＲによるシステム）や、複数の磁気ディスク列で構成される大容量ＲＡＩＤシステムが適用される。したがって本発明はこれら大記録容量の媒体を利用して検索・編集を行う。
【００７０】
以下では時間情報につき説明する。
前記のように随伴情報は時間経過を伴うものであり、時間経過につれて推移するから、その部分々々ごとに計時して時間情報を対応させることができる。本実施形態では、その計時の尺度を「第２の時間軸」とする。また、この第２の時間軸に基づき計時された時間を「第２時間情報」とする。このようにして随伴情報の推移が第２時間情報と対応付けられる。
【００７１】
一方、コンテンツであるビデオデータは時間経過を伴うものであり、時間経過につれて推移するから、その部分々々ごとに計時して時間情報を対応させることができる。本発明では、その計時の尺度を「第１の時間軸」とする。また、この第１の時間軸に基づき計時された時間を「第１時間情報」とする。したがって各ビデオデータの推移は第１時間情報と対応付けられる。
第１の時間軸は、たとえばフットボールやゴルフ試合当時の現地時刻のように任意に設定されるもので、その設定において前記の第２の時間軸からの制約を受けない。
【００７２】
同様に第２の時間軸は第１の時間軸とは独立して任意に設定されるもので、第１の時間軸（たとえば試合当時の現地時刻）に制約されることはない。
【００７３】
さらにビデオデータが記録媒体に記録される際には、それが記録される位置情報すなわちアドレスとの対応がなされる。したがって収録済みの素材（コンテンツ）すなわち収録済みのビデオデータにはそれが記録されている位置情報すなわちアドレスが対応し、さらに収録時点でのタイムコードが第１時間情報として記録される。このタイムコードの一形態が実時間タイムコードであり、当時の時間、たとえば標準時刻が例えば年月日とともに記録される。或いは当時において定めた時間原点からの経過時間として記録される。
しかし編集時にこの記録済みのタイムコードのみからビデオデータの該当部分のコンテンツ内容を推測することはできない。タイムコードだけでは情報が不足する。とはいえ収録されたビデオデータを全て見ながら編集作業を行うのは非効率である。そこでコンテンツ内容を容易に推測できる中間的な情報として、本発明では随伴情報を利用する。すなわち検索や編集作業のための手段として随伴情報を利用する。
【００７４】
一方、たとえば収録後の整理段階で随伴情報を作成する際に、随伴情報に関連付けて記録されるタイムコードは本発明で定義する第２の時間軸に基づく第２時間情報となるが、これは整理段階での時間であり、したがって第１の時間軸と第２の時間軸は一般的に異なる。
また西欧圏や北米、南米などからリアルタイム放映されるイベントや、通信回線経由でリアルタイム配信されるイベント等で現地時間のタイムコードがスタンプされ、或いは任意設定された時間軸による標記がなされている場合に、これらは第１の時間軸となるが、ここで現在時間を第２の時間軸に設定すると乖離が生じ、第１の時間軸と第２の時間軸は一致しない。そこで第１の時間軸と第２の時間軸とを対応付けるリンク表が準備される。
【００７５】
上記のような随伴情報と時間情報と記録位置とを対応させる一方法として、図３乃至図５に示される各テーブルが使用される。
図３は、第１時間情報とアドレスとを対応させた表形式情報である「タイム管理テーブル」の構成例を示す。このタイム管理テーブルはディスク状記録媒体に適用されるもので、第１時間情報、クラスタアドレス、セクタアドレスをそれぞれフィールドとするレコードで構成される。図示される例でたとえば第２のレコードの第１時間情報は、
11:20:14:05:01
であり、クラスタアドレス（６バイト）は１６進表示で、
h00000000001E
であり、セクタアドレス（１バイト）は１６進表示で、
h00
と記録される。
【００７６】
図４は、随伴情報と第２時間情報とを対応させた表形式情報である「随伴情報テーブル」の構成例を示す。この随伴情報テーブルは随伴情報、第２時間情報をそれぞれフィールドとするレコードで構成される。図示される例でたとえば第１のレコードの随伴情報は、
「映像開始」
であり、それに対応する第２時間情報は経過時間で表示されるものとして、
00:00:00
と記録される。
【００７７】
さらに図５は、第１時間情報と第２時間情報とを対応させた表形式情報である「リンクテーブル」の構成例を示す。このリンクテーブルは第１時間情報、第２時間情報をそれぞれフィールドとするレコードで構成される。図示される例でたとえば第３のレコードの第１時間情報は時刻表示で、
11:20:14:05:32
であり、それに対応する第２時間情報は経過時間で表示されるものとして、
00:00:32
と記録される。
【００７８】
また時間情報を共通の時間軸に基づくものとすることも可能である。すなわち第２の時間軸を第１の時間軸と同じに設定する。例えばマラソンの実況中継でリアルタイムによるオンエアおよびビデオデータ収録を同時に行い、且つ、随伴情報をリアルタイムで形成させる。このような場合、時間軸は共通となり、よって時間情報も共通時間情報となる。
共通の時間軸の第１の例は万国普遍的なグリニッジ標準時刻であり、これに年月日が付加されることもある。第２の例は、関係者間で取り決めた始点時刻からの経過時間である。これも関係者間では共通の時間情報となる。
【００７９】
前記の随伴情報テーブル、タイム管理テーブルおよびリンクテーブルを適用したビデオデータベースＶＤＢ１のブロック構成を図２に示す。
ビデオデータベースＶＤＢ１は、ビデオデータやテーブルを記録格納する記録メディア０２０１、記録メディア０２０１への書込みと読み出しを司る書込読出制御手段０２０２、読み出されるビデオデータのバッファメモリ０２０３を備える。書込読出制御手段０２０２はコンピュータプログラムとして準備される。
記録メディア０２０１はハード磁気ディスクや光磁気ディスクや光学式ディスクなどのディスク状記録媒体または／およびビデオカセットテープなどのテープディスク状記録媒体または／および半導体メモリなどをはじめ、これらのうち任意の複数種類の記録媒体を併用した構成等が適用される。
【００８０】
書込読出制御手段０２０２はまたバッファメモリ０２０３を制御し、ビデオデータｄ０１０９の伝送レートと記録メディア０２０１からの読出レートとの差に基づきデータのバッファリングを管理する。
記録メディア０２０１上の各領域には、ビデオデータがビデオデータファイル０１２３の各セグメントに逐次記録され、さらに随伴情報テーブル０２１３が随伴情報ファイル０１２１内に、タイム管理テーブル０２１１とリンクテーブル０２１２が対応情報ファイル０１２２内に、それぞれ記録されている。
【００８１】
書込読出制御手段０２０２は、随伴情報群の読込コマンドｄ０１０２を受けると、随伴情報テーブル０２１３から随伴情報群を読出し、これらによる取出された随伴情報群ｄ０１０３を編成して送出する。或いは指定された随伴情報ｄ０１０６を受けると、随伴情報テーブル０２１３を参照してこの随伴情報に対応する第２時間情報を参照データｄ０１０７（図１参照）とし、ついでリンクテーブル０２１２を参照してこの第２時間情報に対応する第１時間情報を参照データｄ０１０８（図１参照）とし、ついでタイム管理テーブル０２１１を参照してこの第１時間情報に対応するアドレスに基づき該当するビデオデータｄ０１０９を特定し、これを送出する。
【００８２】
記録メディア０２０１をハード磁気ディスクや光磁気ディスクや光学式ディスクなどのディスク状媒体で構成する場合、時間情報の記録位置および管理については以下に示す各方式があり、本発明はその何れにも適応する。
（ａ）トラック上の、各ビデオデータが記録された各領域内のヘッダに、各時間情報を記録する。例としてトラック上の最小記録管理単位として形成されるセクタにつき、その内部に設けたサブヘッダ部に時間情報を記録する。サブヘッダ部として４乃至８バイト程度が準備される。
（ｂ）トラック上の、各ビデオデータが記録された各領域内に別項目で各時間情報を記録する。例としてはセクタのデータエリアの先頭に時間情報記録領域を設けて記録するもので、ブックマークと称されることもある。
（ｃ）ビデオデータが記録されたビデオストリーム領域とは別に設けられた管理データ記録領域内に、対応テーブル形式で時間情報を記録する。例として、時間情報と、トラック上の絶対アドレス（各セクタ内のヘッダ部にクラスタアドレスとセクタアドレスが記録されている）とを対置させた形式のテーブルを別途作成して管理データ記録領域内に記録する。因みに１セクタを５１２バイトで構成し、１クラスタを６４セクタ構成とする場合、１クラスタあたりの記録容量は３０ｋバイトとなる。
また、時間情報と、一つまたは複数のクラスタで構成されるフレーム番号とを対置させた形式のテーブルが作成されることもある。上記のように記録形式に応じて、「時間情報と或るクラスタ内のセクタ」、「時間情報とフレーム」等の対応がなされる。ここでフレームは動画像の各葉を構成する上での基本単位となり、通算フレーム数に基づき管理がなされる。
【００８３】
一方、テープ状磁気記録媒体を用いるＶＴＲの時間情報の記録は、テープ媒体上に形成される長手方向トラック上に記録されるＬＴＣと、傾斜トラック上に記録されるＶＩＴＣとの階層的記録によりなされる。またテープ媒体上に記録開始位置ＳＯＭをスタンプして、これをガイドデータ（随伴情報）と対応させる構成にも適合する。
【００８４】
図６は図１に示したビデオデータ検索システムＶＤＲＳ１の動作フローチャートである。以下、動作を説明する。
ステップ６０１で、入力部Ｉｐｔから随伴情報読出手段０１００の随伴情報読込部０１０１へ、随伴情報群の読込指示ｄ０１０１の入力があったかがチェックされる。入力があるとステップ６０２へ進み、随伴情報読出手段０１００の随伴情報読込部０１０１が随伴情報群の読込コマンドｄ０１０２を通信ネットワークＮＷ経由でビデオデータベースＶＤＢへ送付する。
ステップ６０３で、読込コマンドｄ０１０２を受けたビデオデータベースＶＤＢが随伴情報ファイル０１２１０内の随伴情報テーブルから随伴情報群ｄ０１０３を取出し、随伴情報読込部０１０１へ通信ネットワークＮＷ経由で送出する。ついでステップ６０４で、随伴情報読出手段０１００の随伴情報読込部０１０１が送出された随伴情報群ｄ０１０３を通信ネットワークＮＷ経由で取り込み、呈示部０１０２に呈示する。
【００８５】
ついでステップ６０５で、入力部Ｉｐｔから随伴情報処理手段０１１０へ、随伴情報の指定入力ｄ０１０５があったかがチェックされ、指定入力があるとステップ６０６へ進み、随伴情報処理手段０１１０が指定された随伴情報ｄ０１０６を通信ネットワークＮＷ経由でビデオデータベースＶＤＢへ送付する。
ステップ６０７で、ビデオデータベースＶＤＢでは通信ネットワークＮＷ経由で送付された随伴情報ｄ０１０６か、またはそれに対応した所定の仲介情報（例えば前記の第２時間情報など）を参照データｄ０１０７としこれに基づき対応情報ファイル０１２２を参照し、その対応結果を次ぎの参照データｄ０１０８としてビデオデータファイル０１２３を検索する。
ついでステップ６０８で、ビデオデータベースＶＤＢが該当するビデオデータｄ０１０９を取出し、通信ネットワークＮＷ経由で随伴情報処理手段０１１０へ送出する。
ステップ６０９で、ビデオデータｄ０１０９を受けて随伴情報処理手段０１１０が呈示ビデオデータｄ０１１０をビデオモニタ０１３１へ画面呈示または／及び外部へ出力送出し、このタスクを了える。
なお上記の各ステップで、通信ネットワークＮＷを経由せず直接、または専用回線経由で伝送しても差し支えない。
【００８６】
このようにビデオデータ検索システムＶＤＲＳ１は、ビデオデータと併行して推移してビデオデータと相関を有し、且つビデオデータの内容に関わる情報を載せた随伴情報群を、ビデオデータベースＶＤＢから読み込んで呈示し、ついでその内の何れかが指定されると、指定された当該随伴情報に基づきビデオデータベースＶＤＢに記録されている対応情報を参照して該当するビデオデータを特定する。よって随伴情報に基づき、対象になるビデオデータの前選抜による絞りこみが、しかもビデオデータ自体を開くことなく容易にできる。この結果、検索効率が向上する。
【００８７】
図７は、図２に示したビデオデータベースＶＤＢ１を、図１のビデオデータ検索システムＶＤＲＳ１のビデオデータベースＶＤＢに適用した際の動作フローチャートである。以下、動作を説明する。
ステップ７０１で、書込読出制御手段０２０２は入力が随伴情報群の読込コマンドｄ０１０２であればＶ（ステップ７０２）へ、随伴情報ｄ０１０６であればＷ（ステップ７０３）へ動作を進める。
ステップ７０２で、書込読出制御手段０２０２は随伴情報ファイル０１２１から随伴情報群ｄ０１０３を纏めて送出し、このタスクを了える。
一方ステップ７０３で、書込読出制御手段０２０２は随伴情報テーブル０２１３を参照して第２時間情報を得る。ついでステップ７０４で書込読出制御手段０２０２はリンクテーブル０２１２を参照して第１時間情報を得る。
ステップ７０５で、ついで書込読出制御手段０２０２はタイム管理テーブル０２１１を参照してアドレスを得る。
ステップ７０６で、書込読出制御手段０２０２はビデオデータファイル０１２３の該当するアドレスからビデオデータｄ０１０９を取出し送出し、このタスクを了える。
【００８８】
このように、ビデオデータと随伴情報がそれぞれ異なる時間軸および異なる時間情報により記録されていても、随伴情報テーブル０２１３、リンクテーブル０２１２、タイム管理テーブル０２１１を順に参照することによって該当ビデオデータの特定が可能になる。また該当するビデオデータを容易且つ迅速に取出すことができる。
【００８９】
前記の共通時間情報を適用したビデオデータベースＶＤＢ２のブロック構成を図８に示す。なお前記ビデオデータベースＶＤＢ１と同一部分には同一符号を付けて前記説明を援用する。
ビデオデータベースＶＤＢ２は、記録メディア０２０１、書込読出制御手段０８０２、バッファメモリ０２０３を備える。書込読出制御手段０８０２はコンピュータプログラムとして準備され、バッファメモリ０２０３を制御してデータのバッファリングを管理する。
記録メディア０２０１上の各領域にはビデオデータファイル０１２３に加え、随伴情報テーブル０８１２が随伴情報ファイル０１２１内に、タイム管理テーブル０８１１が対応情報ファイル０１２２内に、それぞれ記録されている。随伴情報テーブル０８１２は「随伴情報」対「共通時間情報」を、タイム管理テーブル０８１１は「共通時間情報」対「アドレス」を、夫々記録している。アドレスはビデオデータと対応している。
【００９０】
書込読出制御手段０８０２は、随伴情報群の読込コマンドｄ０１０２を受けると、随伴情報テーブル０８１２から随伴情報群を読出し、これらによる取出された随伴情報群ｄ０１０３を編成して送出する。或いは指定された随伴情報ｄ０１０６を受けると、随伴情報テーブル０８１２を参照してこの随伴情報に対応する共通時間情報を参照データｄ０１０７（図１参照）とし、ついでタイム管理テーブル０２１１を参照してこの共通時間情報に対応するアドレスに基づき該当するビデオデータｄ０１０９を特定し、これを送出する。共通時間情報の概念を図９に示す。図示される共通時間情報とメディアアドレスが、タイム管理テーブルにおいて記録管理され、また図示される随伴情報と共通時間情報が、随伴情報テーブルにおいて記録管理される。さらにメディアアドレスには図示されない収録素材（ビデオデータ）が一対一の対応で記録されている。
したがって共通時間情報を仲介して随伴情報から対応する収録素材（ビデオデータ）をアクセスすることができる。
【００９１】
図１０は、図８に示したビデオデータベースＶＤＢ２を、図１のビデオデータ検索システムＶＤＲＳ１のビデオデータベースＶＤＢに適用した際の動作フローチャートである。以下、動作を説明する。
ステップ１００１で、書込読出制御手段０８０２は入力が随伴情報群の読込コマンドｄ０１０２であればＶ（ステップ１００２）へ、随伴情報ｄ０１０６であればＷ（ステップ１００３）へ動作を進める。
ステップ１００２で、書込読出制御手段０８０２は随伴情報ファイル０１２１から随伴情報群ｄ０１０３を纏めて送出し、このタスクを了える。
ステップ１００３で、書込読出制御手段０８０２は随伴情報テーブル０８１２を参照して共通時間情報を得る。
ステップ１００４で、ついで書込読出制御手段０８０２は共通時間に基づきタイム管理テーブル０８１１を参照してアドレスを得る。
ステップ１００５で、書込読出制御手段０８０２はビデオデータファイル０１２３の該当する該当するアドレスからビデオデータｄ０１０９を取出し送出し、このタスクを了える。
【００９２】
このように、随伴情報に基づき先ず随伴情報テーブル０８１２を、ついでタイム管理テーブル０８１１を順に参照することにより、この随伴情報に該当するビデオデータを容易且つ迅速に特定することができる。また該当するビデオデータを容易且つ迅速に取出すことができる。
【００９３】
つぎにビデオデータベースＶＤＢが如何に構築されるかの一例を図１１乃至図１４に沿って説明する。図１１は図２に示されたビデオデータベースＶＤＢ１へのデータ記録時の概念図である。図１２は図１１に示された随伴情報処理部の一例のブロック構成図である。図１３は図１１に示された素材処理部の一例のブロック構成図である。また図１４は図２に示されたビデオデータベースのデータ記録時の説明図である。
図１１に示されるように、ビデオデータベースＶＤＢにデータ収録する場合、随伴情報処理部１１０１、素材処理部１１０３が接続される。
素材処理部１１０３は収録対象の素材であるコンテンツを取込む処理を司るものであり、撮像カメラ等からの信号を取込む。したがって発生する素材（たとえばスポーツ試合）との直接の接点となる。
素材処理部１１０３は、対象とする素材をビデオデータから成るビデオストリームに編成して送出可能な機能を具備し、収録に適うビデオストリーム１１０３ｄをビデオデータベースＶＤＢへ、またオンエアに適うビデオストリーム１１０３ｂを不図示のオンエア系へそれぞれ送出する。収録に適うビデオストリーム１１０３ｄはビデオデータベースＶＤＢのビデオデータファイル０１２３へ収録され、一方オンエアに適うビデオストリーム１１０３ｂはそのまま放送される。
【００９４】
第１の時間軸１１０４による第１時間情報は素材処理部１１０３において設定管理が為されるほか、ビデオデータベースＶＤＢから第１時間情報が符号１１０５ｄ１として素材処理１１０３へ付与されることもある。
【００９５】
随伴情報処理部１１０１はビデオストリームに随伴して発生または形成される随伴情報を時系列データに編成のうえ送出可能な機能を具備し、随伴情報１１０１ｄをビデオデータベースＶＤＢへ送出する。ここで内蔵するタイマなどによる第２の時間軸１１０２に基づき第２時間情報が随伴情報１１０１ｄにスタンプされ、この随伴情報１１０１ｄがビデオデータベースＶＤＢへ供給されると、ビデオデータベースＶＤＢではこの供給された第２時間情報を用いるようにし、よってビデオデータベースＶＤＢ内で第２時間情報を生成させない。然る後に、随伴情報１１０１ｄと第２時間情報とを対応付けた状態で記録する。これは具体的には随伴情報テーブル０２１３として記録する。
一方、他の場合として随伴情報処理部１１０１で第２時間情報が随伴情報に付加されることなく、随伴情報１１０１ｄがビデオデータベースＶＤＢへ供給された場合は、ビデオデータベースＶＤＢでは内蔵するタイマなどにより第２の時間軸１１０２に基づく第２時間情報を生成させ、この第２時間情報を随伴情報１１０１ｄに対応させる。
上記のように作成時には第１時間情報と第２時間情報の処理によって複数の構成があるが、いずれにせよ最終的には上記のビデオデータや各テーブルが収録された状態でビデオデータベースＶＤＢが準備される。
【００９６】
図１２は、随伴情報処理部の一例のブロック構成図である。随伴情報処理部１１０１は、収録対象の事象に関するデータの手動入力を受け付けて入力データ１２０１ｄとして供給するための入力手段１２０１、供給された入力データ１２０１ｄから随伴情報を形成し、内蔵タイマ１２０４からの第２時間情報に基づき時間をスタンプした随伴情報１１０１ｄとして通信ネットワークＮＷ経由でビデオデータベースＶＤＢへ送付する随伴情報形成手段１２０２、随伴情報形成手段１２０２に接続され、形成される随伴情報などを画面表示する表示手段１２０３を備える。この随伴情報処理部１１０１はコンピュータ、とりわけ現場搬入容易なノート型パソコン等を主体に構成され、入力手段１２０１や随伴情報形成手段１２０２、さらに不図示の通信制御手段等の各手段はＣＰＵが読取り実行可能なプログラムとして準備される。
【００９７】
入力手段１２０１にはコンピュータ周辺機器であるキーボード機器をはじめ、従来スポーツ中継現場で使用されている、スポーツコーダと呼称される専用キーボード型の機器や、スピードガンと呼称される専用の速度計測器などが適用される。また随伴情報形成手段１２０２に第２時間情報の形成機能を具備させず、第２時間情報が含まれない随伴情報１１０１ｄをビデオデータベースＶＤＢへ送付する構成とすることもできる。
【００９８】
図１３は、素材処理部の一例のブロック構成図である。この素材処理部１１０３は、複数台の撮像カメラ（例えば撮像カメラ１３０１）からの映像信号と複数のマイクロフォン（例えばマイクロフォン１３０２）からの音声信号のうちいずれかを選択し出力する切換選択手段１３０３、データ変換等の処理をしてビデオストリームに編成するビデオストリーム編成手段１３０４、ビデオストリーム編成手段１３０４に接続されて画面表示を行うモニタ１３０６を備える。さらに第１時間情報または共通の時間情報の生成手段として機能し、ビデオストリーム編成手段１３０４へ第１時間情報または共通の時間情報を提供するタイマ１３０５を備える。ここで切換選択手段１３０３には一般にスイッチャーと称せられている切換機器が適用される。
【００９９】
ビデオストリーム編成手段１３０４により、ビデオデータベースＶＤＢへ送出するビデオストリーム１１０３ｄと、不図示のオンエア系へ送出するオンエア・ビデオストリームが形成される。
【０１００】
図１４に示されるようにビデオデータベースＶＤＢ１は、記録メディア０２０１、ビデオストリーム１１０３ｄから第１時間情報を抽出してタイム管理テーブル作成手段１４０２とリンクテーブル作成手段１１０６へ送付する第１時間情報抽出手段１４０１、記録可能なアドレスデータ１４０４ｄを出力するアドレス管理手段１４０４、アドレスデータ１４０４ｄおよび第１時間情報を受けて両者を対応付けたタイム管理テーブルデータ１４０２ｄを作成し書込読出制御手段０２０２へ送付するタイム管理テーブル作成手段１４０２、第１時間情報を受け、また随伴情報テーブルデータ１１０１ｄから第２時間情報を抽出して両者を対応付けたリンクテーブルデータ１４０３ｄを作成し書込読出制御手段０２０２へ送付するリンクテーブル作成手段１４０３、ビデオストリーム１１０３ｄをバッファメモリ０２０３経由で取り込みビデオデータをビデオデータファイル０１２３へ記録し、またタイム管理テーブルデータ１４０２ｄをタイム管理テーブル０２１１へ記録し、またリンクテーブルデータ１４０３ｄをリンクテーブル０２１２へ記録し、また随伴情報テーブルデータ１１０１ｄを随伴情報テーブル０２１３へ記録する書込読出制御手段０２０２を備える。
【０１０１】
書込読出制御手段０２０２によってビデオデータファイル０１２３、タイム管理テーブル０２１１、リンクテーブル０２１２、随伴情報テーブル０２１３がそれぞれ記録・更新記録される。これによってビデオデータベースＶＤＢの記録がなされ、また更新が為される。
なお上記はあくまでも一例に過ぎず、これ以外の他の種々の構成と形態が適用可能であることは論を待たない。
【０１０２】
図１５は、本発明に係るビデオデータ検索システムの別の実施形態のブロック構成図である。以下、図１５に基づき構成を説明する。また前記実施形態と同じ部分は同一符号を付して前記説明を援用する。
本実施形態に係るビデオデータ検索システムＶＤＲＳ２は、随伴情報読出手段１５００、随伴情報検索手段１５１０、ビデオデータ検索手段１５２０、ビデオモニタ０１３１、入力部Ｉｐｔ、通信ネットワークＮＷ、さらにビデオデータベースＶＤＢを備えるコンピュータシステムとして構成される。より詳細には、上記のうちで随伴情報読出手段１５００、随伴情報検索手段１５１０、ビデオデータ検索手段１５２０、ビデオモニタ０１３１と入力部Ｉｐｔを具備し、さらにこれらの動作を制御する不図示の制御手段を備えた第１系統のコンピュータ（例えばワークステーションやパソコン等）と、大容量記録装置を擁してビデオデータベースＶＤＢを形成する第２系統のコンピュータ（例えばメインフレーム）と、これら第１及び第２系統のコンピュータ間のデータ授受を中継する通信ネットワークＮＷを備えるコンピュータシステムとして構成される。
【０１０３】
或いは、通信ネットワークＮＷを用いることなく、一つのコンピュータで上記各手段等及びビデオデータベースＶＤＢの両方を実現する構成とすることもできる。ここでは前者のコンピュータシステム構成に基づいて説明する。また第１及び第２系統のコンピュータの構成は前記実施形態におけると略同様であり、よって前記説明を援用する。
【０１０４】
随伴情報読出手段１５００は随伴情報読込部１５０１と呈示部（モニタ）０１０２を備える。随伴情報読込部１５０１、随伴情報検索手段１５１０、ビデオデータ検索手段１５２０はコンピュータプログラムとして準備され、これらコンピュータプログラムはＲＯＭまたは／およびハード磁気ディスク装置等に格納されてＣＰＵにより読取り実行される。
随伴情報読込部１５０１は、入力部Ｉｐｔから随伴情報検索手段１５１０へ与件の検索条件ｄ１５０１が入力された際に、これを察知した不図示の制御手段や随伴情報検索手段１５１０から送付されるトリガ信号によって作動し、随伴情報群の読込コマンドｄ１５０２を通信ネットワークＮＷ経由でビデオデータベースＶＤＢへ送付し、取出された随伴情報群ｄ１５０３を通信ネットワークＮＷ経由で読込んで随伴情報群データｄ１５０４とし、随伴情報検索手段１５１０へ供給する。さらに呈示部０１０２へ送り画面表示や印刷をさせることもできる。
【０１０５】
随伴情報検索手段１５１０は供給された随伴情報群データｄ１５０４を、与件の検索条件ｄ１５０１に基づき検索して適合する随伴情報を確定させ、確定した随伴情報ｄ１５０５としてビデオデータ検索手段１５２０へ送付する。
【０１０６】
ビデオデータ検索手段１５２０はこれを確定随伴情報ｄ１５０６として通信ネットワークＮＷ経由でビデオデータベースＶＤＢへ送付し、この随伴情報に対応する該当ビデオデータｄ０１０９を通信ネットワークＮＷ経由で受けて呈示ビデオデータｄ１５１０とし、ビデオモニタ０１３１へ送付する。
【０１０７】
一方、ビデオデータベースＶＤＢは前記実施形態におけると略同様であり、よって前記説明を援用する。
【０１０８】
図１６は図１５に示したビデオデータ検索システムＶＤＲＳ２の動作フローチャートである。以下、動作を説明する。
ステップ１６０１で、入力部Ｉｐｔから与件として随伴情報の検索条件ｄ１５０１の入力があると、これが不図示の制御手段により検出され、随伴情報読出手段１５００と随伴情報検索手段１５１０へ通知される。
ステップ１６０２で、随伴情報読出手段１５００の随伴情報読込部１５０１が、随伴情報群の読込コマンドｄ１５０２をビデオデータベースＶＤＢへ送付する。
ステップ１６０３で、ビデオデータベースＶＤＢが随伴情報ファイル０１２１から随伴情報群ｄ１５０３を取出し、随伴情報読込部１５０１へ送出する。
【０１０９】
ステップ１６０４で、随伴情報読込部１５０１が送出された随伴情報群ｄ１５０３を取り込み、随伴情報検索手段１５１０へデータｄ１５０４として送付する。
ステップ１６０５で、随伴情報検索手段１５１０が検索条件ｄ１５０１に基づき随伴情報群を検索して該当する随伴情報ｄ１５０５を確定させ、これをビデオデータ検索手段１５２０へ送付する。
ステップ１６０６で、これを受けたビデオデータ検索手段１５２０は確定された随伴情報ｄ１５０６としてビデオデータベースＶＤＢへ送付する。
【０１１０】
ステップ１６０７で、ビデオデータベースＶＤＢでは送付された随伴情報ｄ１５０６か、またはそれに対応した不図示の所定の仲介情報を参照データｄ０１０７とし、これに基づき対応情報ファイル０１２２を参照し、その対応結果を次ぎの参照データｄ０１０８としてビデオデータファイル０１２３を検索する。
ステップ１６０８で、ビデオデータベースＶＤＢが該当するビデオデータｄ１５０９を取出し、ビデオデータ検索手段１５２０へ送出する。
ステップ１６０９で、ビデオデータｄ１５０９を受けてビデオデータ検索手段１５２０が呈示データｄ１５１０に編成し、これをビデオモニタ０１３１へ画面呈示するか、または／及び外部へ出力する。
また上記の各伝送過程にあって通信ネットワークＮＷを経由する構成とすることもできる。また上記で随伴情報検索手段１５１０はビデオデータベースＶＤＢ上で直接、随伴情報ファイル０１２１を検索するようにしてもよい。
【０１１１】
このビデオデータ検索システムＶＤＲＳ２によると、ビデオデータベースＶＤＢに記録された随伴情報群につきこれを検索する検索条件が与件として与えられると、この検索条件に基づき随伴情報を自動検索して該当する随伴情報を確定させ、ついで当該確定随伴情報に基づき対応情報を参照して該当するビデオデータを特定させる。このように先ず随伴情報を検索条件によって前選抜で絞りこむことで、対象になるビデオデータを、しかもビデオデータ自体を開くことなく絞り込むことができるから検索効率が顕著に向上する。
【０１１２】
つぎに図１７は、本発明に係るビデオデータ編集システムの一実施形態のブロック構成図である。以下、図１７に基づき構成を説明する。また前記ビデオデータ検索システムの実施形態と同じ部分には同一符号を付して前記説明を援用する。
本実施形態に係るビデオデータ編集システムＶＤＥＳ１は、前段階処理手段１７００、編集手段１７１０、ビデオモニタ０１３１、入力部Ｉｐｔ、通信ネットワークＮＷ、さらにビデオデータベースＶＤＢを備えるコンピュータシステムとして構成される。より詳細には、上記のうちで前段階処理手段１７００、編集手段１７１０、ビデオモニタ０１３１と入力部Ｉｐｔを具備し、さらにこれらの動作を制御する不図示の制御手段を備えた第１系統のコンピュータ（例えばワークステーションやパソコン等）と、大容量記録装置を擁してビデオデータベースＶＤＢを形成する第２系統のコンピュータ（例えばメインフレーム）と、これら第１及び第２系統のコンピュータ間のデータ授受を中継する通信ネットワークＮＷを備えるコンピュータシステムとして構成される。
【０１１３】
或いは、通信ネットワークＮＷを用いることなく、一つのコンピュータで上記各手段等及びビデオデータベースＶＤＢの両方を実現する構成とすることもできる。ここでは前者のコンピュータシステム構成に基づいて説明する。また第１及び第２系統のコンピュータの構成は前記実施形態におけると略同様であり、よって前記説明を援用する。
【０１１４】
前段階処理手段１７００、編集手段１７１０の主要部はコンピュータプログラムとして準備され、これらコンピュータプログラムはＲＯＭまたは／およびハード磁気ディスク装置等に格納されてＣＰＵにより読取り実行される。
前段階処理手段１７００は印刷機能を具備して、編集作業の開始以前の任意の時点で、ビデオデータベースＶＤＢから記録されている随伴情報群ｄ０１０３を取出して印刷情報１７９０とする。こののち入力部Ｉｐｔから任意の随伴情報の指定ｄ１７０１が為されると、指定随伴情報ｄ１７０２を通信ネットワークＮＷ経由でビデオデータベースＶＤＢへ送付し、ビデオデータベースＶＤＢから取出された該当するビデオデータｄ１７０５を通信ネットワークＮＷ経由で読込み、呈示ビデオデータｄ１７０６としてビデオモニタ０１３１へ送り画面表示させる。
【０１１５】
編集手段１７１０は、入力部Ｉｐｔから切り出し点指定ｄ１７０７が入力されると、その時点でビデオデータベースＶＤＢから送出されているビデオデータｄ１７０５から切り出しを実行してビデオクリップを作成すると同時に、ビデオデータｄ１７０５に塔載されているタイムコードデータを取り込み、或いはその時点でのビデオデータｄ１７０５に係る記録位置データｄ１７０９をビデオデータベースＶＤＢの対応情報ファイル０１２２またはビデオデータファイル０１２３または随伴情報ファイル０１２１から取り込み、クリップ情報を編成する。
さらに作成したビデオクリップｄ１７１０を通信ネットワークＮＷ経由でビデオデータベースＶＤＢへ送付し、ビデオクリップファイル１７５１へ格納するか、または／及び外部へ出力するか、または／及び更に続く編集加工を施すかの少なくとも何れかを実行する。
さらに編成したクリップ情報ｄ１７１１を通信ネットワークＮＷ経由でビデオデータベースＶＤＢへ送付し、クリップ情報ファイル１７５２へ格納するか、または／及び外部へ出力するか、または／及び更に続く編集加工を施すかの少なくとも何れかを実行する。
【０１１６】
一方、ビデオデータベースＶＤＢは、ビデオクリップファイル１７５１とクリップ情報ファイル１７５２が追加される以外は前記実施形態におけると略同様であり、よって前記説明を援用する。
【０１１７】
図１８および図１９は、図１７に示したビデオデータ編集システムＶＤＥＳ１の動作フローチャートである。以下、動作を説明する。
ステップ１８０１で、編集開始前の任意の時点で、前段階処理手段１７００がビデオデータベースＶＤＢから随伴情報群ｄ０１０３を取り込み、印刷する。
ステップ１８０２で、入力部Ｉｐｔから任意の随伴情報ｄ１７０１の指定入力があると、これを受けてステップ１８０３で、前段階処理手段１７００が指定入力された随伴情報をｄ１７０２としてビデオデータベースＶＤＢへ送付する。
ついでステップ１８０４で、ビデオデータベースＶＤＢが送付された随伴情報ｄ１７０２か、またはそれに対応した所定の仲介情報を参照データｄ０１０７とし、これに基づき対応情報ファイル０１２２を参照し、その対応結果を次ぎの参照データｄ０１０８としてビデオデータファイル０１２３を検索する。
【０１１８】
ついでステップ１８０５で、ビデオデータベースＶＤＢは上記で得たビデオデータｄ１７０５を前段階処理手段１７００へ送出する。
ステップ１８０６で、前段階処理手段１７００はビデオデータｄ１７０５を受けて呈示ビデオデータｄ１７０６とし、これをビデオモニタ０１３１へ呈示する。この呈示画面を編集者がチェックできる。このあと編集手段の処理へ進む。
【０１１９】
図１９のステップ１９０１で、呈示中のビデオデータｄ１７０６につき、切り出し点ｄ１７０７を指定する入力が入力部Ｉｐｔから為されると、ステップ１９０２で編集手段１７１０がこの指定入力された切り出し点ｄ１７０７を受け、ビデオデータｄ１７０５からタイムコードを抽出するか、またはビデオデータベースＶＤＢからこの記録位置データｄ１７０９を受けて、ビデオクリップまたは／及びクリップ情報を作成する。
ステップ１９０３で、編集手段１７１０がビデオクリップｄ１７１０をビデオデータベースＶＤＢへ送付してビデオクリップファイル１７５１へ記録するか、または／及び外部へ出力する。
ステップ１９０４で、編集手段１７１０がクリップ情報ｄ１７１１をビデオデータベースＶＤＢへ送付してクリップ情報ファイル１７５２へ記録するか、または／及び外部へ出力する。
【０１２０】
このように随伴情報群を開示し、ついで任意の随伴情報が指定されると、指定された当該随伴情報に基づき対応情報を参照して該当するビデオデータを取出し呈示する結果、随伴情報の指定がなされることで対象であるビデオデータが絞りこまれ、よって無駄を排除できる。
しかも、この絞り込みの操作時にはビデオデータ自体を開く必要がないから効率的である。
ついで現在呈示されているビデオデータの切りだし点が指定されると、切り出しによるビデオクリップ形成、切りだし点をクリップ情報として記録保存または外部へ供給などを実行するから、以降の編集加工の対象であるビデオクリップを容易に生成でき、また、後の任意の時期での編集加工時に再度、ビデオデータの切りだし点の指定をすることなく、保存されているクリップ情報を用いてビデオクリップを容易かつ迅速に生成できる。この結果、編集作業を効率化でき、またコスト削減ができる。
【０１２１】
ここで編集操作につきさらに説明する。
ビデオストリームは映像／音声の連続した流れであり、これをデータ化したのがビデオデータである。ビデオストリームは時系列的に順次並んだビデオデータとして記録され、また時系列的に並んだビデオデータが順次再生されてビデオストリームが形成される。
連続した流れであるビデオストリームを任意の部分から他の任意の部分まで切り取り抽出したものがビデオクリップである。抽出開始の点がイン点、抽出終了の点がアウト点である。
したがって、イン点とアウト点をクリップ情報とすると、クリップ情報のみで管理することもできる。クリップ情報とビデオデータを共に、または別個に記録しておき、後にクリップ情報に基づき該当するビデオデータを切り取ることにより、所望の任意の時期にビデオクリップを作成することができる。
イン点とアウト点は、操作者や編集者によって入力指定がなされる。ただし随伴情報テーブルの記録にない場合がある。例えば野球試合で随伴情報が３回表の開始を記録し、また３回２アウトの時点を記録していても、ビデオクリップとされる開始と終了部分がその途中のシーンである場合、タイミングは随伴情報が示すタイミングとは別のタイミングとなる。したがってイン点とアウト点に該当するビデオデータのアドレスまたはタイムコードは、タイム管理テーブルから読取りがなされるほか、該当するビデオデータの媒体記録面上に記録されたアドレスまたはタイムコードから読取りがなされる。
【０１２２】
クリップ生成以降の編集処理にあっては、繋ぎ合わせ、エフェクト、特殊加工等の編集加工がある。特殊効果処理の場合、モザイク効果では、ビデオイメージをタイル状の小片に分けてモザイク画のように見せる。
クロツプ効果は、画枠を小さくすることによってビデオイメージの一部を切り出すものであり、ビデオイメージの一部を切り出すことから切り出し効果とも呼ばれている。画枠の右辺及び左辺位置、並びに上辺及び下辺位置、さらにはエツジのぼかし具合の加工がなされる。
３次元画像変換（3-Dimensional Transform ）は、３次元空間上で画像を仮想的に変換する。画像の水平方向をＸ軸、垂直方向をＹ軸、奥行き方向をＺ軸として定義すれば、当該Ｘ軸、Ｙ軸又はＺ軸を回転軸として画像を回転させ、或いはＸ軸、Ｙ軸又はＺ軸方向に画像を移動させる画像変換を実行する。
トレイル効果（リカーシブ効果）は、画像を空間的に移動させる際に所定間隔で画像を静止画としてフリーズし、そのフリーズした画像を残像イメージとして残す。
さらに切換処理として指定されているワイプ効果は、現在表示されている古い画像を新しい画像でぬぐい消すようにして、画面に表示される画像を切り換えるトランジシヨン・エフェクトを指す。
本発明では、例えば切り出し点の指定が為される際に、適合する特殊加工の情報を前記クリップ情報に記載しておき、以後において為される編集加工に供することもできる。
【０１２３】
つぎに図２０は、本発明に係るビデオデータ編集システムの別の実施形態のブロック構成図である。以下、図２０に基づき構成を説明する。また前記実施形態と同じ部分には同一符号を付して前記説明を援用する。
本実施形態に係るビデオデータ編集システムＶＤＥＳ２は、前段階処理手段２０００、編集手段１７１０、ビデオモニタ０１３１、入力部Ｉｐｔ、通信ネットワークＮＷ、さらにビデオデータベースＶＤＢを備えるコンピュータシステムとして構成される。より詳細には、上記のうちで前段階処理手段２０００、編集手段１７１０、ビデオモニタ０１３１と入力部Ｉｐｔを具備し、さらにこれらの動作を制御する不図示の制御手段を備えた第１系統のコンピュータ（例えばワークステーションやパソコン等）と、大容量記録装置を擁してビデオデータベースＶＤＢを形成する第２系統のコンピュータ（例えばメインフレーム）と、これら第１及び第２系統のコンピュータ間のデータ授受を中継する通信ネットワークＮＷを備えるコンピュータシステムとして構成される。
【０１２４】
或いは、通信ネットワークＮＷを用いることなく、一つのコンピュータで上記各手段等及びビデオデータベースＶＤＢの両方を実現する構成とすることもできる。ここでは前者のコンピュータシステム構成に基づいて説明する。また第１及び第２系統のコンピュータの構成は前記実施形態におけると略同様であり、よって前記説明を援用する。
【０１２５】
前段階処理手段２０００、編集手段１７１０の主要部はコンピュータプログラムとして準備され、これらコンピュータプログラムはＲＯＭまたは／およびハード磁気ディスク装置等に格納されてＣＰＵにより読取り実行される。
前段階処理手段２０００は随伴情報の検索機能を具備して、入力部Ｉｐｔから随伴情報に係る与件の検索条件ｄ２００１が入力されると、ビデオデータベースＶＤＢから記録されている随伴情報群ｄ０１０３を取出し、この検索条件ｄ２００１に基づき検索を施して条件を満たす随伴情報を決定し、決定随伴情報ｄ２００４を通信ネットワークＮＷ経由でビデオデータベースＶＤＢへ送付し、ビデオデータベースＶＤＢから取出された該当するビデオデータｄ１７０５を通信ネットワークＮＷ経由で読込み、呈示ビデオデータｄ１７０６としてビデオモニタ０１３１へ送り画面表示させる。
【０１２６】
編集手段１７１０の構成と動作は前記実施形態におけると略同様である。またビデオデータベースＶＤＢも前記実施形態におけると略同様であり、よっていずれも前記説明を援用する。
【０１２７】
図２１は、図２０に示したビデオデータ編集システムＶＤＥＳ２の動作フローチャートである。以下、動作を説明する。
ステップ２１０１で、与件の随伴情報検索条件ｄ２００１の入力が入力部Ｉｐｔから前段階処理手段２０００へ為されると、ステップ２１０２で前段階処理手段２０００がビデオデータベースＶＤＢから随伴情報群ｄ０１０３を取り込む。但しここで必ずしも画面呈示等をする必要はない。
ステップ２１０３で、前段階処理手段２０００が入力された検索条件ｄ２００１に基づき随伴情報群ｄ０１０３を検索して条件を満たす随伴情報ｄ２００４を決定し、ビデオデータベースＶＤＢへ送付する。
【０１２８】
ステップ２１０４で、ビデオデータベースＶＤＢでは送付された随伴情報ｄ２００４か、またはそれに対応した所定の仲介情報を参照データｄ０１０７とし、これに基づき対応情報ファイル０１２２を参照し、その対応結果を次ぎの参照データｄ０１０８としてビデオデータファイル０１２３を検索する。
ステップ２１０５で、ビデオデータベースＶＤＢは上記で得たビデオデータｄ１７０５を前段階処理手段２０００へ送出する。
ステップ２１０６で、前段階処理手段２０００はビデオデータｄ１７０５を受けて呈示データｄ１７０６とし、これをビデオモニタ０１３１へ呈示する。この呈示画面を編集者がチェックできる。これ以降の編集動作は前記図１９に示したと略同様であり、よって前記説明を援用する。
【０１２９】
上記のように、与件の検索条件に基づく随伴情報の検索によって前段階の選抜を実行して対象とする随伴情報を決定し、ついで決定した随伴情報に基づき対応情報を参照して該当するビデオデータを取出し呈示する。よってビデオデータから切り出してビデオクリップを作成する際に、随伴情報を検索することにより前段階スクリーニングを自動的かつ効率的に実行でき、このスクリーニングによって候補を絞ることができるから、目的のシーンにより迅速かつ効率的に到達することができる。しかもスクリーニング終了までビデオデータを開く必要がないから、編集の生産性向上がなされ、低コストになるという顕著な効果がある。
【０１３０】
つぎに図２２は、本発明に係るビデオデータ編集システムのさらに別の実施形態のブロック構成図である。以下、図２２に基づき構成を説明する。また前記実施形態と同じ部分には同一符号を付して前記説明を援用する。
本実施形態に係るビデオデータ編集システムＶＤＥＳ３は、随伴情報テーブル読込手段２２００、時間間隔演算手段２２１０、モニタ２２２０、入力部Ｉｐｔ、通信ネットワークＮＷ、さらにビデオデータベースＶＤＢを備えるコンピュータシステムとして構成される。
より詳細には、上記のうちで随伴情報テーブル読込手段２２００、時間間隔演算手段２２１０、モニタ２２２０と入力部Ｉｐｔを具備し、さらにこれらの動作を制御する不図示の制御手段を備えた第１系統のコンピュータ（例えばワークステーションやパソコン等）と、大容量記録装置を擁してビデオデータベースＶＤＢを形成する第２系統のコンピュータ（例えばメインフレーム）と、これら第１及び第２系統のコンピュータ間のデータ授受を中継する通信ネットワークＮＷを備えるコンピュータシステムとして構成される。
【０１３１】
或いは、通信ネットワークＮＷを用いることなく、一つのコンピュータで上記各手段等及びビデオデータベースＶＤＢの両方を実現する構成とすることもできる。ここでは前者のコンピュータシステム構成に基づいて説明する。また第１及び第２系統のコンピュータの構成は前記実施形態におけると略同様であり、よって前記説明を援用する。
【０１３２】
随伴情報テーブル読込手段２２００、時間間隔演算手段２２１０はコンピュータプログラムとして準備され、これらコンピュータプログラムはＲＯＭまたは／およびハード磁気ディスク装置等に格納されてＣＰＵにより読取り実行される。
随伴情報テーブル読込手段２２００は、入力部Ｉｐｔから時間間隔出力の指示ｄ２２０１が入力されると、随伴情報テーブルの読込コマンドｄ２２０２をビデオデータベースＶＤＢへ送付し、ビデオデータベースＶＤＢから記録されている随伴情報テーブル０１２１１をデータｄ２２０３として読込み、これをデータｄ２２０４として時間間隔演算手段２２１０へ送付する。
【０１３３】
時間間隔演算手段２２１０は、随伴情報テーブル読込手段２２００から随伴情報テーブルのデータｄ２２０４を受け、時間間隔データを演算する。すなわち随伴情報（アイテムと称する）が複数個存在する場合に、或る随伴情報が続く次ぎの随伴情報に至るまでの時間間隔を時間情報に基づき演算し、
時間間隔情報ｄ２２０５としてモニタ２２２０へ表示するか、または／及び時間間隔データｄ２２０６としてビデオデータベースＶＤＢへ送出して時間間隔ファイル２２３０へ記録する。時間間隔ファイル２２３０にはアイテム間と、その時間間隔データが記載されている。
【０１３４】
ビデオデータベースＶＤＢは時間間隔ファイル２２３０を設ける以外は前記実施形態におけると略同様であり、よっていずれも前記説明を援用する。
【０１３５】
図２３は、図２２に示したビデオデータ編集システムＶＤＥＳ３の動作フローチャートである。以下、動作を説明する。
ステップ２３０１で、入力部から時間間隔出力ｄ２２０１の指示入力があったかの確認がなされ、入力があると、ステップ２３０２で随伴情報テーブル読込手段２２００が、随伴情報テーブルの読込コマンドｄ２２０２をビデオデータベースＶＤＢへ送付する。
ステップ２３０３で、ビデオデータベースＶＤＢがこのコマンドｄ２２０２を受けて随伴情報テーブルデータｄ２２０３を送出する。
ステップ２３０４で、随伴情報テーブル読込手段２２００が随伴情報テーブルデータｄ２２０３を読込み、データｄ２２０４として時間間隔演算手段２２１０へ送付する。
ステップ２３０５で、時間間隔演算手段２２１０が随伴情報テーブルデータｄ２２０４を受け、時間間隔データを演算する。
ステップ２３０６で、時間間隔演算手段２２１０が時間間隔データｄ２２０５をモニタ２２２０へ表示するか、または／及びビデオデータベースＶＤＢへ送出して時間間隔ファイル２２３０へ記録する。これ以降の編集動作は前記各実施形態に示したと略同様であり、よって前記説明を援用する。
【０１３６】
この時間間隔ファイル２２３０は編集時に参照されることにより、或る随伴情報と、それに続き次ぎに発生する随伴情報に至るまでの時間間隔の長短に基づき、その間に発生したコンテンツの内容の推察を容易にする。
たとえば野球試合中継にあってカウント（ストライクまたはボール）変化毎に随伴情報を発生させる場合、試合が尋常に推移している際にはカウントの変化は概ね平均的な時間経過によって発生するから、或る随伴情報と次ぎの随伴情報間の時間間隔も概ね平均的となるが、ここで随伴情報間が特に長い時間間隔があれば、利用時にそれをチェックすることで試合の異常な推移（例えば投手交代、降雨による中断、審判への長時間の抗議や乱闘など事件発生による中断）があったと推察することが可能になる。これは後の利用において、とりわけ編集作業において有効となる。
【０１３７】
なお上記の時間間隔に係る構成は、上記のようなビデオデータ編集システムに適用されるばかりか、前掲のビデオデータ検索システムの各実施形態をはじめとする全ゆるシステムに適用できることは言うまでもない。
【０１３８】
また上記の各実施形態においてデータ記録媒体を、非着脱式のハード磁気ディスク、光磁気ディスク、光ディスク、半導体メモリ等で構成することにより、随伴情報およびビデオデータの管理が容易になり、随伴情報とビデオデータとを対応させる処理が簡単になり、またこれらの紛失を防止できる。
しかも広範な種類の記録媒体を適用することにより、種々の構成のデータベースを構築することができる。
【０１３９】
一方、データ記録媒体を着脱式のハード磁気ディスク、光磁気ディスク、光ディスク、半導体メモリ、磁気テープ等で構成するか、上記の非着脱式データ記録媒体を併用した構成とすることにより、ビデオデータまたは／および随伴情報を別々に管理でき、しかも広範な種類の記録媒体を適用できることで製品設計の自由度が増大する。
なお前記のビデオファイル、随伴情報ファイルや随伴情報テーブル、対応情報ファイルやタイム管理テーブル、リンクテーブル等は必ずしも同一のデータ記録媒体上に記録格納されている必要はなく、例えば前述した各ディスク状やテープ状など異なる種類の複数の記録媒体に分散して記録格納されている構成であっても差し支えないことは言うまでもない。例えばビデオファイルをＶＴＲによるカートシステムや、またはディスク状記録媒体によるＲＡＩＤシステムに格納し、他のファイルやテーブルを別途設けたサーバ装置の具備するハード磁気ディスクに格納する等が可能である。またその他、種々の構成が可能である。
【０１４０】
つぎに随伴情報につき以下にさらに説明する。
随伴情報の記録に係る一つの実施形態として、随伴情報を文字列にもとづく、文字表現による意味適応型情報として記録することが可能である。この構成は随伴情報を打ち込み入力する際に文字表現による入力ができるから、随伴情報の準備作業がより判り易いものになり、たとえば数値のみによる入力に比して誤入力の発生が減少し、且つ使い勝手が向上するという利点もある。さらにこの記録データの利用時における検索精度を改善することができる。
【０１４１】
また別の実施形態として、記録部が随伴情報を、時間経過につれて数値が単調増加する、数値表現による順位適応型情報として記録するように構成する。
ビデオストリームを継続的に収録したビデオデータの記録順序は時刻または経過時間に沿った順序であり、発生時刻や経過時間の逆転が生じることなく順に記録される。これはシーケンシャル記録をするテープ磁気記録媒体を用いたリニア型記録装置は勿論のこと、ランダムアクセス可能なディスク状記録媒体や半導体メモリを用いたノンリニア型記録装置についても、位置決め処理演算等にかかるオーバヘッド短縮のため連続記録がなされることが好ましい。これを本発明では「順位適応型」と説明する。
したがってビデオデータに随伴して発生するガイド情報すなわち随伴情報も順位適応型の情報となる。そこで本実施形態ではガイド情報を、時間経過につれて数値が単調増加する数値表現とする。たとえば野球試合を例にとると、そのスコアデータを単調増加する数値で記載するようにする。図２４はこのようなスコアデータの数値表現による順位適応型情報の例を示す。
【０１４２】
野球試合では攻防の回数の推移は不可逆であり、且つ或る回の先攻（所謂「おもて」）と後攻（所謂「うら」）が必ずこの順で推移して不可逆である。すなわち回数が逆転または再プレイされることはなく、また先攻と後攻が逆転して試合進行することはありえない。さらにアウトカウントにしても同様であり、２アウトから１アウトに戻ることはない。さらに事態の発生は階層的で、回数の下の層に先攻と後攻があり、その各々につき、さらに下層にアウトカウントがある。
この階層的構造を踏まえて順位適応型情報として表現すると、たとえば７回裏の１死であれば、上記の階層の順に数字を並べ、
「07/2/1」
と表現される。ここで先攻と後攻をそれぞれ、１と２で表現する。これは後攻にあてがう数値を先攻にあてがう数値よりも大とするよう表現するものである。また上記でスラッシュ記号は説明の便宜上記されたものであり、実際のガイド情報には図示されるようにスラッシュ記号を除いた４桁（１０進数の場合）の数値で表現される。
【０１４３】
この結果、各ガイド情報は発生の順に単調増加する数値で表現され、のみならず、その数値の特定の桁は試合内容をも表現している。したがって記録されたデータの利用時において着目する例えば回数や攻防が指定されると、ガイド情報を数値的に、しかも単調増加する性質に基づいて、極めて迅速かつ効率的に検索と頭だしを実行することが可能になる。
【０１４４】
ところで上記において、さらに下層の数値としてストライクとボールを加える場合、例えば７回裏の１死で１ストライク且つ２ボールで打者がヒット出塁し、次ぎの打者の攻撃時に前打者と同じカウントになることがある。また数値的にガイド情報が逆転することがある。すなわち前打者のカウントを表示するガイド情報が、
「07/2/1/1/2」
であり、さらに後続の打者のカウントを表示するガイド情報が、
「07/2/1/0/0」
から始まり、
「07/2/1/1/2」
と、前打者のカウントと同じカウントになると、ガイド情報の数値が単調増加でなくなる。
【０１４５】
そこで本実施形態では、アウトカウントの層とストライク／ボールの層との間に打者数の層を挿入するように構成する。図２５にこのようなスコアデータの拡張された数値表現による順位適応型情報の例を示す。
これによると、第２打者につき１ストライク且つ２ボールであれば、ガイド情報は８桁（１０進数の場合）の数値で
「07/2/1/02/1/2」
となり、後続する第３打者につき同じ１ストライク且つ２ボールであれば、ガイド情報は
「07/2/1/03/1/2」
となり、数値として扱う場合、これによってガイド情報の数値の逆転や同一数値の発生を排除して単調増加性を維持することができる。このように本発明では、試合中の進行の不可逆性と、単調増加する数値の性質を組み合わせることにより、随伴情報の合理的な構成を可能にする。
【０１４６】
さらに別の実施形態として、記録部がガイド情報を大分類標記と小分類標記の組合せで構成し、前記大分類の標記を時間経過につれて数値が単調増加する数値表現による順位適応型情報として記録し、小分類の標記を文字列にもとづく文字表現による意味適応型情報として記録するように構成する。
これにより、当該記録データの利用時において先ずガイド情報の大分類標記の検索により大まかな検索を効率的に実行でき、ついで小分類標記の検索により高精度の検索ができ、よって全体として検索効率と精度を向上させることができる。
例えばサッカー試合の収録において前半の４５分と後半の４５分につき、ガイド情報の大分類の標記を１分単位の経過時間で単調増加する数値表現とする。ついで分単位に形成された大分類の各数値の下層に、小分類標記としてシュートを行ったプレイヤを文字列で表現する。図２６はこのような数値表現による順位適応型情報と文字表現による意味適応型情報によるガイド情報の例を示す。
【０１４７】
図示されるように、前半（数値は１）の３８分から３９分に至る１分間（数値は３８）を数値表現し、この１分間内に放たれたシュートを発生順に、そのプレイヤ名とともに文字列で表現する。
このように大分類の標記と小分類標記を併用して随伴情報を記録することにより、記録データの利用時において、着目する時間に対応するガイド情報の大分類検索が高速になされ、ついで小分類標記に基づきシュートの詳細な検索と頭だしができる。
【０１４８】
上記のように本発明の骨子は、取材素材（例えばスポーツ試合の中継や実況中継の映像・音声）の収録中に、その試合に関連する情報として随伴情報（例えばスコアとして、カウントデータやスコアブック・データなど）が発生するが、この随伴情報が素材と同様に時間経過に伴い発生・更新されるのに着目して随伴情報を素材と対応付けて記録されたビデオデータベースを用い、随伴情報を収録素材のガイドデータとして、さらにブックマークとして利用することにより、効率的な編集・検索を実現するものである。
すなわち収録素材の編集保存作業について従来なされていた、例えばスポーツ試合の収録中や収録後の人手による「メモ書き」とその参照などを排除して、実況中継の収録中や収録後に人手により随伴情報を発生させ、時刻または経過時間が記録された試合のリアルタイムデータを仲立ちに随伴情報と収録素材の実時間タイムコードとをリンクさせて記録したビデオデータベースを用いて、検索や編集作業の効率化および検索性向上を実現する。
【０１４９】
本発明の要諦と利点は上記の説明から明らかであるが、その主となる一部を整理再掲すると以下のようになる。
１．収録対象の素材（ビデオデータ）の時間的推移に伴い発生するリアルタイム随伴情報（時刻付きスコアデータなど）またはオフラインで編成した随伴情報を収録素材の検索・編集時のガイド情報として使用する。
２．収録素材のタイムコードとして機能する第１時間情報と、随伴情報の流れに関わる第２時間情報とを対応付けすることにより収録素材の検索と参照を可能にする。
３．収録素材と随伴情報を関連させたアーカイブによる映像検索性、閲覧性の向上を実現する。
４．さらに蓄積素材の検索性、閲覧性の向上を図り、蓄積素材の合理的な管理を可能とする。
５．収録素材の頭出し、編集点決めの効率化による編集作業の生産性向上に寄与する。
６．リアルタイムのイベント情報、たとえばスポーツにおけるスコアデータを検索や編集の手段として利用することによる放映素材制作の効率化を実現する。
イベント情報例として野球、サッカー、マラソンなどスポーツのほか、カーレース等の定点ロケ番組、バラエティ、コンサート等がある。また既存のＶＴＲやスポーツコーダ、スピードガンなどとの連携使用を可能にする。
【０１５０】
【発明の効果】
以上説明したように請求項１のビデオデータ検索方法および請求項９のビデオデータ検索システムは、ビデオデータベースまたはビデオデータベース部に記録された随伴情報を先ず呈示し、ついでその内の何れかが指定されると、指定された当該随伴情報に基づき対応情報を参照して該当するビデオデータを特定するから、随伴情報により対象になるビデオデータを前選抜で絞りこむことができ、且つこの前選抜ではビデオデータ自体を検索する必要がないから、よって検索効率が向上する。
又、随伴情報間の時間の差の演算とその記録または／および呈示を実行することにより、或る随伴情報と、それに続き次ぎに発生する随伴情報に至るまでの時間の差の長短に基づき、その間に発生したコンテンツの内容の推察が容易にでき、効率的な検索が可能になる。また編集を効率化できるという効果がある。
【０１５１】
請求項２のビデオデータ検索方法および請求項９のビデオデータ検索システムは、ビデオデータベースまたはビデオデータベース部に記録された随伴情報につきこれを検索する検索条件が与件として付与されると、この検索条件に基づき随伴情報を検索して該当する随伴情報を確定し、ついで当該確定随伴情報に基づき対応情報を参照して該当するビデオデータを特定するから、随伴情報を検索条件によって絞りこむことで対象になるビデオデータを前選抜で絞りこむことができ、且つこの前選抜ではビデオデータ自体を検索する必要がないから、よって検索効率が向上する。
又、随伴情報間の時間の差の演算とその記録または／および呈示を実行することにより、或る随伴情報と、それに続き次ぎに発生する随伴情報に至るまでの時間の差の長短に基づき、その間に発生したコンテンツの内容の推察が容易にでき、効率的な検索が可能になる。また編集を効率化できるという効果がある。
【０１５２】
請求項１５のビデオデータ編集方法および請求項２２のビデオデータ編集システムは、ビデオデータベースまたはビデオデータベース部に記録された随伴情報のうちの任意の随伴情報が指定されると、指定された当該随伴情報に基づき対応情報を参照して該当するビデオデータを取出し呈示するから、先ず随伴情報が指定されることでビデオデータが絞りこまれ、よって無駄を排除でき、且つこの絞りこみにおいてビデオデータ自体を開く必要がないから効率的である。ついで呈示されているビデオデータの切りだし点が指定されると、切り出しによるビデオクリップ形成、切りだし点をクリップ情報として記録または外部へ供給などを実行するから、以降の編集加工の対象であるビデオクリップを容易に生成でき、また、後の任意の時期での編集加工時に再度、ビデオデータの切りだし点の指定をすることなく、保存されているクリップ情報を用いてビデオクリップを容易かつ迅速に生成できる。この結果、編集作業を効率化できる。
又、随伴情報間の時間の差の演算とその記録または／および呈示を実行することにより、或る随伴情報と、それに続き次ぎに発生する随伴情報に至るまでの時間の差の長短に基づき、その間に発生したコンテンツの内容の推察が容易にでき、効率的な検索が可能になる。また編集を効率化できるという効果がある。
【０１５３】
請求項１６のビデオデータ編集方法および請求項２３のビデオデータ編集システムは、ビデオデータベースまたはビデオデータベース部に記録された随伴情報につき、与件の検索条件に基づき前段階の選抜を実行して対象とする随伴情報を決定し、ついで決定した随伴情報に基づき対応情報を参照して該当するビデオデータを取出し呈示するから、前選抜で随伴情報の絞りこみができて効率的である。ついで呈示されているビデオデータの切りだし点が指定されると、切り出しによるビデオクリップ形成、切りだし点をクリップ情報として記録または外部へ供給などを実行するから、以降の編集加工の対象であるビデオクリップを容易に生成でき、また、後の任意の時期での編集加工時に再度、ビデオデータの切りだし点の指定をすることなく、保存されているクリップ情報を用いてビデオクリップを容易かつ迅速に生成できる。この結果、編集作業を効率化できる。
又、随伴情報間の時間の差の演算とその記録または／および呈示を実行することにより、或る随伴情報と、それに続き次ぎに発生する随伴情報に至るまでの時間の差の長短に基づき、その間に発生したコンテンツの内容の推察が容易にでき、効率的な検索が可能になる。また編集を効率化できるという効果がある。
【０１５４】
請求項３のビデオデータ検索方法および請求項１０のビデオデータ検索システムおよび請求項１７のビデオデータ編集方法および請求項２４のビデオデータ編集システムは、対応情報として第１対応情報と第２対応情報と第３対応情報を備える。第１対応情報は「ビデオデータ」対「第１時間情報」を、第２対応情報は「随伴情報」対「第２時間情報」を、第３対応情報は「第１時間情報」対「第２時間情報」を、それぞれ対応付ける。
これにより随伴情報に基づき先ず第２対応情報を、ついで第３対応情報を、ついで第１対応情報を順に参照することにより、この随伴情報に該当するビデオデータを容易且つ迅速に特定することができる。また該当するビデオデータを容易且つ迅速に取出すことができる。
【０１５５】
請求項４のビデオデータ検索方法および請求項１１のビデオデータ検索システムおよび請求項１８のビデオデータ編集方法および請求項２５のビデオデータ編集システムは、対応情報として第１対応情報と第２対応情報を備える。第１対応情報は「ビデオデータ」対「共通時間情報」を、第２対応情報は「随伴情報」対「共通時間情報」をそれぞれ対応付ける。
これにより随伴情報に基づき、先ず第２対応情報を、ついで第１対応情報を参照することにより、対応付けられている共通時間情報を仲立ちにしてこの随伴情報に該当するビデオデータを容易且つ迅速に特定することができる。また該当するビデオデータを容易且つ迅速に取出すことができる。
【０１５６】
【０１５７】
請求項５のビデオデータ検索方法および請求項１２のビデオデータ検索システムおよび請求項１９のビデオデータ編集方法および請求項２６のビデオデータ編集システムは、随伴情報を時間経過につれて数値が増加する順位適応型情報とすることにより検索を効率化できる。また総じて編集の効率化を具現できる。
【０１５８】
請求項６のビデオデータ検索方法および請求項１３のビデオデータ検索システムおよび請求項２０のビデオデータ編集方法および請求項２７のビデオデータ編集システムは、随伴情報を文字列にもとづく意味適応型情報とすることにより検索精度を改善することができる。また総じて編集の効率化を具現できる。
【０１５９】
請求項７のビデオデータ検索方法および請求項１４のビデオデータ検索システムおよび請求項２１のビデオデータ編集方法および請求項２８のビデオデータ編集システムは、随伴情報を、時間経過につれて数値が増加する順位適応型情報による大分類標記と、文字表現による意味適応型情報による小分類標記との組合せで構成することにより、先ず大分類標記の検索により大まかな検索を効率的に実行でき、ついで小分類標記の検索により高精度の検索ができ、よって全体として検索効率と精度を向上させることができる。また総じて編集の効率化を具現できる。
【図面の簡単な説明】
【図１】  本発明に係るビデオデータ検索システムの一実施形態のブロック構成図である。
【図２】  本発明において適用されるビデオデータベースの一実施形態のブロック構成図である。
【図３】  図２に示されたタイム管理テーブルの構成例を示す図である。
【図４】  図２に示された随伴情報テーブルの構成例を示す図である。
【図５】  図２に示されたリンクテーブルの構成例を示す図である。
【図６】  図１に示されたビデオデータ検索システムの動作フローチャートである。
【図７】  図２に示されたビデオデータベースの動作フローチャートである。
【図８】  本発明において適用される共通時間情報に基づくビデオデータベースの一実施形態のブロック構成図である。
【図９】  共通時間情報の概念説明図である。
【図１０】  図８に示されたビデオデータベースの動作フローチャートである。
【図１１】  図２に示されたビデオデータベースへのデータ記録時の概念図である。
【図１２】  図１１に示された随伴情報処理部の一例のブロック構成図である。
【図１３】  図１１に示された素材処理部の一例のブロック構成図である。
【図１４】  図２に示されたビデオデータベースのデータ記録時の説明図である。
【図１５】  本発明に係るビデオデータ検索システムの別の実施形態のブロック構成図である。
【図１６】  図１５に示されたビデオデータ検索システムの動作フローチャートである。
【図１７】  本発明に係るビデオデータ編集システムの一実施形態のブロック構成図である。
【図１８】  図１７に示されるビデオデータ編集システムの動作フローチャートである。
【図１９】  図１８に続く動作フローチャートである。
【図２０】  本発明に係るビデオデータ編集システムの他の実施形態のブロック構成図である。
【図２１】  図２０に示されるビデオデータ編集システムの動作フローチャートである。
【図２２】  本発明に係るビデオデータ編集システムのさらに別の実施形態のブロック構成図である。
【図２３】  図２２に示されるビデオデータ編集システムの動作フローチャートである。
【図２４】  スコアデータの数値表現による順位適応型情報の例を示す図である。
【図２５】  スコアデータの拡張された数値表現による順位適応型情報の例を示す図である。
【図２６】  数値表現による順位適応型情報と文字表現による意味適応型情報によるガイド情報の例を示す図である。
【符号の説明】
ＶＤＲＳ２・・・ビデオデータ検索システム、１５００・・・随伴情報読出手段、１５０１・・・随伴情報読込部、０１０２・・・呈示部、１５１０・・・随伴情報検索手段、１５２０・・・ビデオデータ検索手段、０１３１・・・ビデオモニタ、Ｉｐｔ・・・入力部、ＮＷ・・・通信ネットワーク、ＶＤＢ・・・ビデオデータベース、０１２１・・・随伴情報ファイル、０１２２・・・対応情報ファイル、０１２３・・・ビデオデータファイル、ｄ１５０１・・・与件の随伴情報の検索条件、ｄ１５０２・・・随伴情報群の読込コマンド、ｄ１５０３・・・取出された随伴情報群、ｄ１５０４・・・検索対象となる随伴情報群、ｄ１５０５・・・検索結果で確定した随伴情報、ｄ１５０６・・・確定随伴情報、ｄ０１０７・・・参照データ、ｄ０１０８・・・参照データ、ｄ１５０９・・・該当するビデオデータ、ｄ１５１０・・・呈示ビデオデータ
【図１】
0004061458.tif 000002
【図２】
0004061458.tif 000003
【図３】
0004061458.tif 000004
【図４】
0004061458.tif 000005
【図５】
0004061458.tif 000006
【図６】
0004061458.tif 000007
【図７】
0004061458.tif 000008
【図８】
0004061458.tif 000009
【図９】
0004061458.tif 000010
【図１０】
0004061458.tif 000011
【図１１】
0004061458.tif 000012
【図１２】
0004061458.tif 000013
【図１３】
0004061458.tif 000014
【図１４】
0004061458.tif 000015
【図１５】
0004061458.tif 000016
【図１６】
0004061458.tif 000017
【図１７】
0004061458.tif 000018
【図１８】
0004061458.tif 000019
【図１９】
0004061458.tif 000020
【図２０】
0004061458.tif 000021
【図２１】
0004061458.tif 000022
【図２２】
0004061458.tif 000023
【図２３】
0004061458.tif 000024
【図２４】
0004061458.tif 000025
【図２５】
0004061458.tif 000026
【図２６】
0004061458.tif 000027